(57)【要約】【課題】ＡＶストリームの記録された記録媒体の再生時に、ストリーム区間の接続点や任意の区間に特殊再生効果を付与する。【解決手段】ＵＩ部１００２によりユーザから指定された情報に基づき、システム制御部１００３が、特殊再生効果を付与するためのテキスト情報を生成する。テキスト情報はＡＶストリーム管理情報内のテキスト情報領域内に設定され、ドライブ部１００９を用いてＤＶＤ−ＲＡＭ１０１０に記録される。再生時にはＡＶストリーム管理情報を読み出して内部のテキスト情報領域を参照し、特殊再生効果が指定されていれば、システム制御部１００３は、指定された情報に応じた効果を付与するよう効果付与部１０１１に指示する。効果付与部１０１１が、指示に従って映像音声に効果を付与して出力することにより、ユーザの望む特殊再生効果の付与されたストリームが出力される。【選択図】  図１１
2004200935.tif 000002
【特許請求の範囲】
【請求項１】
ＡＶストリームとＡＶストリームを管理する管理情報とが記録された記録媒体に対して記録再生を行う記録再生装置であって、
映像または音声に対して特殊再生効果が指定された場合、当該特殊再生効果に関する特殊再生効果指定情報を、前記記録媒体の管理情報記録領域に記録する指定情報記録部と、
再生しようとする記録媒体の管理情報記録領域から読み取ったデータに、特殊再生効果指定情報が含まれるか否かを識別する特殊再生効果識別部と、
前記特殊再生効果識別部により特殊再生効果指定情報が識別された場合、識別された特殊再生効果指定情報に応じて、映像または音声に特殊再生効果を付与する特殊再生効果付与部とを備えたことを特徴とする記録再生装置。
【請求項２】
前記管理情報が、ＡＶストリームの再生経路情報と、飛び込み点情報と、ＡＶストリームの内容を表すテキスト情報と、製造者情報とを含む、請求項１に記載の記録再生装置。
【請求項３】
前記再生経路情報が、記録媒体内の全ての再生区間を含むオリジナルの再生経路情報と、ユーザによって再生区間と再生順序とが指定された再生経路情報とを含み、
前記テキスト情報が、ユーザの指定する再生経路の内容を示すテキスト情報と、記録されたコンテンツの内容を表すテキスト情報と、飛び込み点の内容を表すテキスト情報とを含む、請求項３記載の記録再生装置。
【請求項４】
前記特殊再生効果指定情報が、付与する特殊再生効果の内容を表す情報を含み、飛び込み点の内容を表すテキスト情報の記録領域に記録される、請求項３記載の記録再生装置。
【請求項５】
前記特殊再生効果指定情報が、付与する特殊再生効果の内容を表す情報と飛び込み点情報とを含み、ユーザの指定する再生経路の内容を表すテキスト情報の記録領域に記録され、
前記飛び込み点情報が、ＡＶストリーム上の効果を付与するための基準点を示すために使用される、請求項３記載の記録再生装置。
【請求項６】
前記特殊再生効果指定情報が、付与する特殊再生効果の内容を表す情報とＡＶストリーム上の効果を付与する位置情報とを含み、ユーザの指定する再生経路の内容を表すテキスト情報の記録領域に記録され、
前記位置情報が、ＡＶストリーム上の効果を付与するための基準点を示すために使用される、請求項３記載の記録再生装置。
【請求項７】
前記特殊再生効果指定情報が、付与する特殊再生効果の内容を表す情報と飛び込み点情報とを含み、ユーザの指定する再生経路の内容を示すテキスト情報の記録領域に記録され、
前記飛び込み点情報が、ＡＶストリーム上の効果を付与するための複数の基準点を示すために使用される、請求項３記載の記録再生装置。
【請求項８】
前記特殊再生効果指定情報が、付与する特殊再生効果の内容を示す情報とＡＶストリーム上の効果を付与する位置情報とを含み、ユーザの指定する再生経路の内容を示すテキスト情報の記録領域に記録され、
前記位置情報が、ＡＶストリーム上の効果を付与するための複数の基準点を示すために使用される、請求項３記載の記録再生装置。
【請求項９】
前記特殊再生効果指定情報が、ユーザの指定する再生経路の内容を示すテキスト情報の記録領域の代わりに、製造者情報の記録領域に記録される、請求項５〜８のいずれか１項に記載の記録再生装置。
【請求項１０】
前記特殊再生効果指定情報が、付与する特殊再生効果の内容を示す情報と飛び込み点情報とを含み、コンテンツの内容を示すテキスト情報の記録領域に記録され、
前記飛び込み点情報が、ＡＶストリーム上の効果を付与するための基準点を示すために使用される、請求項３記載の記録再生装置。
【請求項１１】
前記特殊再生効果指定情報が、付与する特殊再生効果の内容を示す情報とストリーム上の効果を付与する位置情報とを含み、コンテンツの内容を示すテキスト情報の記録領域に記録され、
前記位置情報が、ＡＶストリーム上の効果を付与するための基準点を示すために使用される、請求項３記載の記録再生装置。
【請求項１２】
前記特殊再生効果指定情報が、付与する特殊再生効果の内容を示す情報と飛び込み点情報とを含み、コンテンツの内容を示すテキスト情報の記録領域に記録され、
前記飛び込み点情報が、ＡＶストリーム上の効果を付与するための複数の基準点を示すために使用される、請求項３記載の記録再生装置。
【請求項１３】
前記特殊再生効果指定情報が、付与する特殊再生効果の内容を示す情報とＡＶストリーム上の効果を付与する位置情報とを含み、コンテンツの内容を示すテキスト情報の記録領域に記録され、
前記位置情報が、ＡＶストリーム上の効果を付与するための複数の基準点を示すために使用される、請求項３記載の記録再生装置。
【請求項１４】
前記特殊再生効果指定情報が、コンテンツの内容を示すテキスト情報の記録領域の代わりに、製造者情報の記録領域に記録される、請求項１０〜１３のいずれか１項に記載の記録再生装置。
【請求項１５】
前記特殊再生効果指定情報が、付与する特殊再生効果の内容を表す情報として、特殊再生効果の種類を表す情報を含む、請求項４〜１４のいずれか１項に記載の記録再生装置。
【請求項１６】
前記特殊再生効果指定情報が、付与する特殊再生効果の内容を表す情報として、特殊再生効果を詳細に指定する情報をさらに含む、請求項１５に記載の記録再生装置。
【請求項１７】
ＡＶストリームとＡＶストリームを管理する管理情報とが記録された記録媒体を再生する再生装置であって、
前記記録媒体の管理情報記録領域には、前記ＡＶストリームの映像または音声に対して特殊再生効果が指定された場合、当該特殊再生効果に関する特殊再生効果指定情報が記録されており、
再生しようとする記録媒体の管理情報記録領域から読み取ったデータに、特殊再生効果指定情報が含まれるか否かを識別する特殊再生効果識別部と、
前記特殊再生効果識別部により特殊再生効果指定情報が識別された場合、識別された特殊再生効果指定情報に応じて、映像または音声に特殊再生効果を付与する特殊再生効果付与部とを備えたことを特徴とする再生装置。
【発明の詳細な説明】
【０００１】
【発明の属する技術分野】
本発明は、記録媒体に対してＡＶストリームの記録または再生を行う記録再生装置および再生装置であって、特に、特殊再生効果を付与した再生が可能な記録再生装置および再生装置に関する。
【０００２】
【従来の技術】
（デジタルビデオレコーディング技術の説明）
近年、アナログ映像をデジタルデータに変換し、光ディスク、磁気ディスク、半導体メモリ等の記録媒体に記録するデジタルビデオレコーディング技術が注目されている。この大きな理由としては、（１）記録媒体の大容量化とデジタルＡＶデータの圧縮技術の確立による記録時間の向上、（２）デジタル化して記録を行うため、一旦記録された後はデータの品質が低下しないこと、等が挙げられる。また、ディスクや半導体メモリなどの記録媒体は、ランダムアクセス性能が格段に優れており、テープメディアでは実現不可能であった機能を容易に実現できるようになった。こういった機能の例としては、素早く頭出しを行ったり、再生順を自由に入れ替えたり、といったことが挙げられる。
（ＡＶストリーム管理）
上記のような機能を実現するために、記録媒体におけるＡＶストリームの管理は複雑なものになる。記録媒体にＡＶストリームを記録する場合、一般的には、ＡＶストリームとは別に管理情報を記録することによって、記録されたデータの管理を効率よく行う手法が採られる。
【０００３】
記録型ＤＶＤ（Ｄｉｇｉｔａｌ  Ｖｅｒｓａｔｉｌｅ  Ｄｉｓｃ）を例に挙げると、記録型ＤＶＤにＡＶストリームを記録する方法を規定するものとして「ＤＶＤ  Ｓｐｅｃｉｆｉｃａｔｉｏｎｓ  ｆｏｒ  Ｒｅｗｒｉｔａｂｌｅ／Ｒｅ−ｒｅｃｏｒｄａｂｌｅ  Ｄｉｓｃｓ（ＤＶＤビデオレコーディング規格。以下、ＤＶＲ規格と記載する）」がすでに策定され、発行されている。ＤＶＲ規格においても、ＡＶストリームと別に、ＡＶストリームの管理情報がディスク上に記録され、ＡＶストリームのコンテンツに関する情報や、ＡＶストリームの再生態様を決定するための情報が記録されている。
（記録型ＤＶＤの説明）
以下、記録媒体として、記録型ＤＶＤを例に説明する。記録型ＤＶＤの規格としては、追記可能なＤＶＤ−Ｒ（ＤＶＤ  Ｒｅｃｏｒｄａｂｌｅ）と、書換え可能なＤＶＤ−ＲＡＭ（ＤＶＤ  ＲｅＷｒｉｔａｂｌｅ）、ＤＶＤ−ＲＷ（ＤＶＤＲｅ−Ｒｅｃｏｒｄａｂｌｅ）があり、前述のＤＶＲ規格を用い、書換え型ＤＶＤに対してＡＶストリームの記録再生を行うＤＶＤレコーダが、民生機器として登場している。ＤＶＤレコーダの特徴の一つとしてプレイリストを用いた編集がある。これはＤＶＲ規格に定められた編集方法である。以下に、ＤＶＤ−ＲＡＭを例にプレイリストの説明を記す。
（プレイリスト説明）
ＤＶＤ−ＲＡＭに記録されているＡＶストリームを、ユーザが再生経路を指定することにより、記録した時の順序とは異なる順序で再生することが可能である。ユーザが指定する再生経路とは、開始点と終了点で指定されたストリームの連続した区間を１再生区間として、その再生区間を並べたリストで表される。この再生経路を記述したリストを、プレイリスト（以降、ＰＬと記載）とよぶ。このＰＬと実データとの関連は、管理情報として別に記録されており、これを参照して目的のストリームにアクセスすることで、ＤＶＤ−ＲＡＭ上のストリームの配置を変更することなく、編集操作を行った場合と同じ再生が可能になる。ＰＬを用いることにより、ＤＶＤ−ＲＡＭに記録されているストリームの直接編集操作を行う場合と比べて、オリジナルのストリームの状態を保存でき、何度でも編集しなおす事が可能になる。
（特殊再生効果を付与する編集の説明）
以上のように、ＰＬを用いることによって、ストリームの任意の区間を任意の順序で再生することが可能となり、ユーザは簡単な操作によってオリジナルのコンテンツを作成できるようになった。しかし、ＰＬによる編集は映像編集手法の一つに過ぎず、一般に用いられる編集には、さらに数多くの手法が存在する。
【０００４】
例えば民生放送や映画などの業務用コンテンツでは、接続点に対してフェード効果を用いて自然に繋げて見せたり、ワイプなどの視覚効果を用いながらシーンを切り替えたりする特殊再生効果を付与することによって、演出の一部として見せる手法が用いられている。このような映像は、業務用の編集装置を用いて編集処理がなされており、従来、個人単位でこのような効果を与える編集を行うことは困難な作業であったが、近年ではＤＶ（Ｄｉｇｉｔａｌ  Ｖｉｄｅｏ）装置やパソコン等を使うことにより、個人単位でも容易に編集を行うことが可能になっている。
【０００５】
ＤＶＤ−Ｖｉｄｅｏ規格で記録された映像を再生するＤＶＤプレイヤーなどの再生装置でも、映像や音声に簡単な効果を付与して再生を行うことが可能なものがある。このような再生装置では、ユーザが、再生装置に対して、再生時に効果を付与するように予め設定を行い、再生装置はその情報を元に効果を付与するという形式を取る。こういった機能はＤＶＤ−Ｖｉｄｅｏ規格で規定されたものではないが、装置製造者によって独自機能として付加されており、今後、ＤＶＤレコーダに対しても同様の機能が付加されていくことが考えられる。
【０００６】
【特許文献１】
特開２００１−２３１０１０号公報
【０００７】
【発明が解決しようとする課題】
上記で説明したＤＶＤプレイヤーの様に、Ｒｅａｄ  Ｏｎｌｙ（読込み専用）の記録媒体に記録された映像に対して効果を付与する設定を行った場合、記録媒体に対しては情報を付加できないため、ユーザから指定された情報は再生装置が保持することになる。この場合、あるＤＶＤ−Ｖｉｄｅｏに記録された映像に対してユーザが設定作業を行っても、再生装置を替えて再生を行う場合にはユーザは再度同じ設定作業を行う必要があり、これはユーザにとって不便である。
【０００８】
本発明は上記課題を解決するために、書換え可能な記録媒体に映像・音声の録画再生を行う記録再生装置において、ユーザが特殊再生効果を一旦設定すれば、その記録媒体に対して特殊再生効果の再設定をしなくても、設定したとおりの特殊再生効果を付与した再生が可能となる記録再生装置を提供することを目的とする。また、書換え可能な記録媒体の再生を行う記録再生装置および再生装置において、記録媒体上に前述のような情報が記録されていた場合、その情報を元に特殊再生効果を付与して再生が可能な記録再生装置および再生装置の提供を目的とする。
【０００９】
【課題を解決するための手段】
上記課題を解決するために、本発明にかかる記録再生装置は、（１）ＡＶストリームとＡＶストリームを管理する管理情報とが記録された記録媒体に対して記録再生を行う記録再生装置であって、映像または音声に対して特殊再生効果が指定された場合、当該特殊再生効果に関する特殊再生効果指定情報を、前記記録媒体の管理情報記録領域に記録する指定情報記録部と、再生しようとする記録媒体の管理情報記録領域から読み取ったデータに、特殊再生効果指定情報が含まれるか否かを識別する特殊再生効果識別部と、前記特殊再生効果識別部により特殊再生効果指定情報が識別された場合、識別された特殊再生効果指定情報に応じて、映像または音声に特殊再生効果を付与する特殊再生効果付与部とを備えた構成である。
【００１０】
また、本発明にかかる再生装置は、（２）ＡＶストリームとＡＶストリームを管理する管理情報とが記録された記録媒体を再生する再生装置であって、前記記録媒体の管理情報記録領域には、前記ＡＶストリームの映像または音声に対して特殊再生効果が指定された場合、当該特殊再生効果に関する特殊再生効果指定情報が記録されており、再生しようとする記録媒体の管理情報記録領域から読み取ったデータに、特殊再生効果指定情報が含まれるか否かを識別する特殊再生効果識別部と、前記特殊再生効果識別部により特殊再生効果指定情報が識別された場合、識別された特殊再生効果指定情報に応じて、映像または音声に特殊再生効果を付与する特殊再生効果付与部とを備えた構成である。
【００１１】
【発明の実施の形態】
上記（１）の構成により、本発明にかかる記録再生装置は、ユーザが書換え可能な記録媒体のＡＶストリームに対して特殊再生効果を一旦設定すれば、その記録媒体に対して特殊再生効果の再設定をしなくても、設定したとおりの特殊再生効果を付与した再生が可能となる。また、記録媒体上に特殊再生効果の設定がされていた場合、その設定を元に特殊再生効果を付与した再生が可能となる。
【００１２】
また、上記（２）の構成により、本発明にかかる再生装置は、記録媒体上に特殊再生効果の設定がされていた場合、その設定を元に特殊再生効果を付与した再生が可能となる。
【００１３】
なお、上記（１）の構成の他、本発明にかかる記録再生装置は、以下の（３）〜（１７）の態様をとり得る。
【００１４】
（３）上記（１）の構成において、前記管理情報が、ＡＶストリームの再生経路情報と、飛び込み点情報と、ＡＶストリームの内容を表すテキスト情報と、製造者情報とを含む記録再生装置。
【００１５】
（４）上記（３）の構成において、前記再生経路情報が、記録媒体内の全ての再生区間を含むオリジナルの再生経路情報と、ユーザによって再生区間と再生順序とが指定された再生経路情報とを含み、前記テキスト情報が、ユーザの指定する再生経路の内容を示すテキスト情報と、記録されたコンテンツの内容を表すテキスト情報と、飛び込み点の内容を表すテキスト情報とを含む記録再生装置。
【００１６】
（５）上記（４）の構成において、前記特殊再生効果指定情報が、付与する特殊再生効果の内容を表す情報を含み、飛び込み点の内容を表すテキスト情報の記録領域に記録される記録再生装置。
【００１７】
（６）上記（４）の構成において、前記特殊再生効果指定情報が、付与する特殊再生効果の内容を表す情報と飛び込み点情報とを含むと共に、ユーザの指定する再生経路の内容を表すテキスト情報の記録領域に記録され、前記飛び込み点情報が、ＡＶストリーム上の効果を付与するための基準点を示すために使用される記録再生装置。
【００１８】
（７）上記（４）の構成において、前記特殊再生効果指定情報が、付与する特殊再生効果の内容を表す情報とＡＶストリーム上の効果を付与する位置情報とを含むと共に、ユーザの指定する再生経路の内容を表すテキスト情報の記録領域に記録され、前記位置情報が、ＡＶストリーム上の効果を付与するための基準点を示すために使用される記録再生装置。
【００１９】
（８）上記（４）の構成において、前記特殊再生効果指定情報が、付与する特殊再生効果の内容を表す情報と飛び込み点情報とを含むと共に、ユーザの指定する再生経路の内容を示すテキスト情報の記録領域に記録され、前記飛び込み点情報が、ＡＶストリーム上の効果を付与するための複数の基準点を示すために使用される記録再生装置。
【００２０】
（９）上記（４）の構成において、前記特殊再生効果指定情報が、付与する特殊再生効果の内容を示す情報とＡＶストリーム上の効果を付与する位置情報とを含むと共に、ユーザの指定する再生経路の内容を示すテキスト情報の記録領域に記録され、前記位置情報が、ＡＶストリーム上の効果を付与するための複数の基準点を示すために使用される記録再生装置。
【００２１】
（１０）上記（６）〜（９）のいずれかの構成において、前記特殊再生効果指定情報が、ユーザの指定する再生経路の内容を示すテキスト情報の記録領域の代わりに、製造者情報の記録領域に記録される記録再生装置。
【００２２】
（１１）上記の（４）の構成において、前記特殊再生効果指定情報が、付与する特殊再生効果の内容を示す情報と飛び込み点情報とを含むと共に、コンテンツの内容を示すテキスト情報の記録領域に記録され、前記飛び込み点情報が、ＡＶストリーム上の効果を付与するための基準点を示すために使用される記録再生装置。
【００２３】
（１２）上記（４）の構成において、前記特殊再生効果指定情報が、付与する特殊再生効果の内容を示す情報とストリーム上の効果を付与する位置情報とを含むと共に、コンテンツの内容を示すテキスト情報の記録領域に記録され、前記位置情報が、ＡＶストリーム上の効果を付与するための基準点を示すために使用される記録再生装置。
【００２４】
（１３）上記（４）の構成において、前記特殊再生効果指定情報が、付与する特殊再生効果の内容を示す情報と飛び込み点情報とを含むと共に、コンテンツの内容を示すテキスト情報の記録領域に記録され、前記飛び込み点情報が、ＡＶストリーム上の効果を付与するための複数の基準点を示すために使用される記録再生装置。
【００２５】
（１４）上記（４）の構成において、前記特殊再生効果指定情報が、付与する特殊再生効果の内容を示す情報とＡＶストリーム上の効果を付与する位置情報とを含むと共に、コンテンツの内容を示すテキスト情報の記録領域に記録され、前記位置情報が、ＡＶストリーム上の効果を付与するための複数の基準点を示すために使用される記録再生装置。
【００２６】
（１５）上記（１１）〜（１４）のいずれかの構成において、前記特殊再生効果指定情報が、コンテンツの内容を示すテキスト情報の記録領域の代わりに、製造者情報の記録領域に記録される記録再生装置。
【００２７】
（１６）上記（５）〜（１５）のいずれかの構成において、前記特殊再生効果指定情報が、付与する特殊再生効果の内容を表す情報として、特殊再生効果の種類を表す情報を含む記録再生装置。なお、この構成において、特殊再生効果の種類とは、映像に関しては、例えば、フェードイン、フェードアウト、モザイク、セピア色化、ワイプ処理、回転、拡大、縮小等を含む。また、音声に関しては、フェードイン、フェードアウト、ミュート、エコー、ボイスキャンセル、キーチェンジ等を含む。
【００２８】
（１７）上記（１６）の構成において、前記特殊再生効果指定情報が、付与する特殊再生効果の内容を表す情報として、特殊再生効果を詳細に指定する情報をさらに含む記録再生装置。
【００２９】
以下、ＤＶＲ規格を用いてＤＶＤ−ＲＡＭに対して映像・音声の記録再生を行う記録再生装置を例にして、本発明の一実施形態を具体的に説明する。
（ＤＶＤ−ＲＡＭ説明）
まず、本実施形態においてＤＶＤ−ＲＡＭに記録されるデータの構成について説明する。図１は、ＤＶＤ−ＲＡＭに記録されるデータについて、物理セクタアドレスにより管理されている物理的な構成と、ファイルシステムにより管理されている論理的な構成とを示すものである。ファイルシステムとは、ディスク内のデータをディレクトリやファイルとして管理するための方式のことである。
【００３０】
図１（ａ）は、ＤＶＤ−ＲＡＭの物理セクタの構成を示す。図１（ａ）に示すように、物理セクタは、リードイン領域１０１、データ領域１０２、リードアウト領域１０３を有する。リードイン領域１０１は物理セクタアドレスの先頭、リードアウト領域１０３は物理セクタアドレスの最後に設けられている。リードイン領域１０１には、サーボを安定させるために必要な規準信号や他のメディアとの識別信号などが記録されている。リードアウト領域１０３には、リードイン領域１０１と同様の基準信号が記録されている。
【００３１】
リードイン領域１０１からリードアウト領域１０３の間には、論理的に有効なデータが記録されるデータ領域１０２が設けられている。データ領域１０２の先頭に、ボリューム領域１０２ａが設けられている。ボリューム領域１０２ａには、ファイルシステム用の管理情報が記録されている。なお、ファイルシステムとしては、以下の例に限定されず、任意のシステムを用いることができる。ファイルシステムの詳細な説明については省略する。
【００３２】
ここで、ファイルシステムを通して見える、ＤＶＤ−ＲＡＭデータの論理構成について説明する。図１（ｂ）において、１０４はＲｏｏｔディレクトリ、１０５はＤＶＤ＿ＲＴＡＶディレクトリ、１０６は管理情報ファイルであるＶＲ＿ＭＡＮＧＲ．ＩＦＯファイル、１０７は静止画ファイルであるＶＲ＿ＳＴＩＬＬ．ＶＲＯファイル、１０８は動画ファイルであるＶＲ＿ＭＯＶＩＥ．ＶＲＯファイルを示す。ＤＶＤ−ＲＡＭに記録される全てのデータは、Ｒｏｏｔディレクトリ１０４直下のＤＶＤ＿ＲＴＡＶディレクトリ１０５の下に置かれる。ＤＶＤ−ＲＡＭに記録されるファイルは大きく２種類に区別される。１つは管理情報ファイルで、もう１つは複数（少なくとも１つ）のＡＶファイルである。ＡＶファイルは、動画、静止画、および静止画にアフレコされた音声という３つのファイルにさらに分類される。これら３つのＡＶファイルを管理する情報として、管理情報ファイルが１つ置かれる。図１（ｂ）において、管理情報ファイルはＶＲ＿ＭＡＮＧＲ．ＩＦＯファイル１０６に相当し、静止画ファイルはＶＲ＿ＳＴＩＬＬ．ＶＲＯファイル１０７、動画ファイルはＶＲ＿ＭＯＶＩＥ．ＶＲＯファイル１０８に相当する。
（ＶＲ＿ＭＯＶＩＥ．ＶＲＯの説明）
ＶＲ＿ＭＯＶＩＥ．ＶＲＯは、複数の放送番組をエンコードすることにより得られた複数のＶｉｄｅｏ  Ｏｂｊｅｃｔ（以下、ＶＯＢと記載する）を収録している。ＶＯＢとは、ビデオストリーム、オーディオストリームを多重化することにより得られるＩＳＯ／ＩＥＣ１３８１８−１規格準拠のプログラム・ストリームであって、その終端部にＰｒｏｇｒａｍ  Ｅｎｄ  Ｃｏｄｅが付与されていないものをいう。
【００３３】
図２は、ＶＲ＿ＭＯＶＩＥ．ＶＲＯの構成を示す図である。本図において、ＶＲ＿ＭＯＶＩＥ．ＶＲＯは、Ｍ＿ＶＯＢ＃１、＃２、＃３・・・・＃Ｍからなる。ＶＯＢを構成するビデオストリームは、ＮＴＳＣ方式、ＰＡＬ方式のビデオ信号をＭＰＥＧ方式にしたがって圧縮したものである。
（ＭＰＥＧの説明）
ＭＰＥＧ規格に従った圧縮とは、一フレーム分の画像内での空間周波数特性と、過去および未来に再生されるべき画像との時間相関特性とを用いた圧縮であり、この圧縮を経ることにより、各ピクチャデータは、過去方向および未来方向に再生されるべき画像との時間相関特性を用いて圧縮されているＢｉｄｉｒｅｃｔｉｏｎａｌｌｙ  Ｐｒｅｄｉｃｔｉｖｅピクチャ（Ｂピクチャ）、過去方向に再生されるべき画像との時間相関特性を用いて圧縮されているＰｒｅｄｉｃｔｉｖｅピクチャ（Ｐピクチャ）、時間相関特性を用いず、一フレーム分の画像内での空間周波数特性を利用して圧縮されているＩｎｔｒａピクチャ（Ｉピクチャ）のうち何れかに変換される。
【００３４】
Ｉピクチャはピクチャ内符号化を行うため、復号化の際には他のピクチャを参照することなく再生できる。しかし、Ｐピクチャは過去のＩピクチャまたはＰピクチャを参照してピクチャ間符号化するため、復号化の際には過去のＩピクチャまたはＰピクチャが復号化されていないと復号化できない。また、Ｂピクチャは過去および未来の両方向のＩピクチャまたはＰピクチャを用いて符号化するため、復号化の際には予測に用いた過去および未来のＩピクチャまたはＰピクチャが復号化されている必要がある。このため、各ピクチャの表示順番と符号化順番とが一致しない現象が生じる。
【００３５】
また、ＤＶＤメディアの再生において、早送り、巻き戻し、途中からの再生などの特殊再生を実現するために、ＭＰＥＧではＧＯＰ（Ｇｒｏｕｐ  ｏｆ  Ｐｉｃｔｕｒｅｓ）という構造が定義されており、ＧＯＰ単位での圧縮／伸張が行われる。これは、ＭＰＥＧで符号化されたビデオデータが、先述のように前後の時間相関特性をもとに圧縮されていて、単独のピクチャだけで完結していないためである。このため、Ｉピクチャが少なくとも１枚入った何枚かのピクチャを１つのまとまりとしてＧＯＰを構成し、ランダムアクセスを可能にしている。
（ＶＯＢ内部構成の説明）
ＶＯＢの内部構成について説明する。図３は、ＶＯＢの構成を段階的に詳細化した図である。すなわち、図３において上段に位置する論理フォーマットは、その下段に位置する論理フォーマットを詳細化したものである。
【００３６】
図３において、１段目のビデオストリームは、２段目に示すように複数のＧＯＰに分割される。ＧＯＰ単位のピクチャデータは２ＫＢｙｔｅ単位に複数に分割される。一方、１段目の右側に位置するオーディオストリームは、３段目に示すように約２ＫＢｙｔｅ単位に複数に分割される。２ＫＢｙｔｅに分割されたＧＯＰ単位のピクチャデータは、約２ＫＢｙｔｅ単位に分割されたオーディオストリームとインターリーブ多重化されて、４段目に示すパック列を形成している。このようなパック列は、５段目に示す複数のＶＯＢＵ（ＶＯＢＵ列）を形成しており、６段目に示すＶＯＢは複数のＶＯＢＵが時系列に配列された構成をもつことがわかる。
【００３７】
図３に示す破線は、下段の論理フォーマットがその上段の論理フォーマット内のどの部分を詳細化したかを明確にするためのものである。この表記に基づいて図３を参照すると、５段目におけるＶＯＢＵは、４段目に示したパック列に対応しており、さらに２段目に示すＧＯＰ単位のピクチャデータに対応していることが分かる。
【００３８】
図３に破線で示した対応関係からも明らかなように、ＶＯＢＵとは、その再生時間が約０．７秒〜１．０秒であるピクチャデータからなる少なくとも１つ以上のＧＯＰと、このピクチャデータと共に多重化されているオーディオデータを含む単位であり、ＭＰＥＧ規格におけるＶ＿ＰＣＫとＡ＿ＰＣＫを配列して構成されていることがわかる。
【００３９】
ＧＯＰの内部構成について説明する。図４は、ＧＯＰの内部構成を示す図である。図４において、４０１はＩピクチャ、４０２はＰピクチャ、４０３はＢピクチャである。図４に示すように各ＧＯＰは、ディスプレイの表示フレームで表示されるピクチャデータを複数配置しており、約０．４秒〜１．０秒の再生時間に相当するビデオストリームの一部分である。
（ＰＧＣの説明、ＶＯＢの位置づけ）
ＤＶＤ−ＲＡＭに対して、ＤＶＲ規格に準拠してＡＶストリームを記録する場合、最上位に位置する論理単位とは、再生経路であり、図５において（ａ）に示すように、Ｐｒｏｇｒａｍ  Ｃｈａｉｎ（以下、ＰＧＣと記載する）として定義される。この再生経路は、ディスク内の全ＡＶストリームを参照するオリジナルＰＧＣと、ディスク内のＡＶストリームの中からユーザが好みのものを選び、再生順序を定義したユーザ定義ＰＧＣ（複数定義することが可能）の２種類が存在する。また、図５において（ｂ）に示すように、ＰＧＣ、ＰＬの部分的な再生区間は、Ｃｅｌｌという単位で表現されている。ＶＯＢはＣｅｌｌに対応する物理的単位であり、図５において（ｃ）、（ｄ）に示すように、ＣｅｌｌとＶＯＢとの対応はＭ＿ＶＯＢＩとよばれるＶＯＢの管理情報を介して行われる。
【００４０】
オリジナルＰＧＣは、プログラムセット（Ｐｒｏｇｒａｍ  Ｓｅｔ）とも呼ばれ、間に、複数のＣｅｌｌを論理的に束ねたプログラム（以下、ＰＧと記載する）と呼ばれる層を有している。後者のユーザ定義ＰＧＣは、ＰＬに相当する。ユーザ定義ＰＧＣはオリジナルＰＧＣと異なり、間にはＰＧを有していない。
【００４１】
また、ＤＶＲ規格ではＰＧＣに対してエントリポイントを設定することが可能となっている。エントリポイントとは、再生経路における飛び込み再生が可能な場所である。エントリポイントは、アドレス情報や時刻情報を使用することで実現が可能であり、エントリポイントを利用することで、再生経路の中でエントリポイントに達すると、記録されている絶対アドレスへとジャンプし、飛び込み再生を行うといった再生装置の動作ができる。
（ＶＲ＿ＭＡＮＧＲ．ＩＦＯの説明）
次に、上記のＶＯＢ、ＰＬ、ＰＧ、エントリポイントなどの情報を管理するファイルであるＶＲ＿ＭＡＮＧＲ．ＩＦＯについて説明する。なお、以降の説明において、ＤＶＲ規格に規定されている情報については、説明の簡略化をはかるため、各情報要素のフルスペルを記載するのではなく、ＤＶＲ規格における略語でそれらの情報要素を指示するものとする。図６は、ＶＲ＿ＭＡＮＧＲ．ＩＦＯの構成を示す図である。図６に示すようにＶＲ＿ＭＡＮＧＲ．ＩＦＯ６０１は、『ＲＴＲ＿ＶＭＧＩ』と『Ｍ＿ＡＶＦＩＴ』と『ＯＲＧ＿ＰＧＣＩ』と『ＵＤ＿ＰＧＣＩＴ』と『ＴＸＴＤＴ＿ＭＧ』と『ＭＮＦＩＴ』とからなる。
【００４２】
『ＲＴＲ＿ＶＭＧＩ』（リアルタイム記録ビデオ管理情報）は、参照符号６０２で示されているように、ＰＬの情報を示す『ＰＬ＿ＳＲＰ＃１，＃２，＃３〜＃ｎ』（プレイリストサーチポインタ）からなる。ＰＬ＿ＳＲＰは参照符号６０３で示されているように、『ＰＧＣＮ』（ＰＧＣ番号）と『ＰＲＭ＿ＴＸＴＩ』（プライマリテキスト情報）と『ＩＴ＿ＴＸＴ＿ＳＲＰＮ』（アイテムテキストサーチポインタ）からなる。ＰＧＣＮにはＰＬに対応するユーザ定義ＰＧＣの番号が記録されており、この番号を参照することによって、番号に対応したＵＤ＿ＰＧＣＩへのアクセスをおこなう。ＵＤ＿ＰＧＣＩはＰＬの実データであり、これについては後述する。
【００４３】
ＰＲＭ＿ＴＸＴＩにはＰＬに関するテキスト情報が記録される。さらにＰＬの内容を示すテキスト情報がＩＴ＿ＴＸＴとしてオプションで記録されている場合、ＩＴ＿ＴＸＴ＿ＳＲＰＮにはＩＴ＿ＴＸＴへのリンク情報として、ＩＴ＿ＴＸＴ＿ＳＲＰの番号が記録されている。
【００４４】
『Ｍ＿ＡＶＦＩＴ』（動画ＡＶファイル情報テーブル）は、参照符号６０４で示されているように、ＶＯＢ毎の諸特性を示す『Ｍ＿ＶＯＢＩ＃１，＃２，＃３〜＃ｎ』（動画ＶＯＢ情報）からなる。Ｍ＿ＶＯＢＩは、ＶＯＢＵの先頭アドレスと、各ＶＯＢＵの再生開始時刻を示す時刻情報（ＰＴＭ）との対応関係を示す『ＴＭＡＰＩ』（タイムマップ情報）からなる。
【００４５】
『ＯＲＧ＿ＰＧＣＩ』（オリジナルＰＧＣ情報）の構成については、後述する『ＰＧＣＩ』で説明する。
【００４６】
『ＵＤ＿ＰＧＣＩＴ』（ユーザ定義ＰＧＣ情報テーブル）は、参照符号６０５で示されているように、『ＵＤ＿ＰＧＣＩ＃１，＃２，＃３〜＃ｎ』（ユーザＰＧＣ情報）からなる。番号はＰＧＣＮに記録された番号に対応する。ＵＤ＿ＰＧＣＩの構成については、後述する『ＰＧＣＩ』で説明する。
【００４７】
『ＴＸＴＤＴ＿ＭＧ』（テキストデータ管理）は、参照符号６０６で示されているように、『ＴＸＴＤＴＩ』（テキストデータ情報）と『ＩＴ＿ＴＸＴ＿ＳＲＰ＃１，＃２，＃３〜＃ｎ』（アイテムテキストサーチポインタ）と『ＩＴ＿ＴＸＴ』（アイテムテキスト）からなる。ＴＸＴＤＴＩはＩＴ＿ＴＸＴ＿ＳＲＰの数を示すＩＴ＿ＴＸＴ＿ＳＲＰ＿Ｎｓからなる。ＩＴ＿ＴＸＴ＿ＳＲＰは、参照符号６０８で示されているように、ＩＴ＿ＴＸＴのスタートアドレスを示す『ＩＴ＿ＴＸＴ＿ＳＡ』（アイテムテキスト開始アドレス）と、ＩＴ＿ＴＸＴのサイズを示す『ＩＴ＿ＴＸＴ＿ＳＺ』（アイテムテキストサイズ）からなる。ＩＴ＿ＴＸＴは識別コードを示す『ＩＤＣＤ』（識別コード）と、テキストのサイズを示す『ＴＸＴ＿ＳＺ』（テキストサイズ）と、テキスト情報の実体である『ＴＸＴ』（テキスト）とを１セットとした、１つまたは複数のセットから構成される。上述したＩＴ＿ＴＸＴ＿ＳＲＰＮの指し示すテキスト情報がこのＩＴ＿ＴＸＴに記録される。
【００４８】
『ＭＮＦＩＴ』（製造者情報テーブル）は、製造者情報を記録するための領域であり、参照符号６０７で示されているように、『ＭＮＦＩ』（製造者情報）からなる。ＭＮＦＩは『ＭＮＦＩ＿ＤＴ』（製造者情報データ）からなり、ＭＮＦＩには製造者の詳細データを記録する領域となっており、その形式は指定されていない。
【００４９】
続いて、『ＰＧＣＩ』（ＰＧＣ情報）について説明する。ＰＧＣＩには、オリジナルのＰＧＣ情報であるＯＲＧ＿ＰＧＣＩと、ＰＬに相当するユーザ定義のＰＧＣ情報であるＵＤ＿ＰＧＣＩとの２種類があり、共通したデータ構造となっている。
【００５０】
ＰＧＣＩの構成を図７に示す。ＰＧＣＩは、参照符号７０１で示されているように、『ＰＧＩ＃１、＃２、＃３、＃４・・・・・・＃ｎ』（ＰＧ情報）と、『ＣＩ＃１、＃２、＃３、＃４・・・・・・＃ｎ』（Ｃｅｌｌ情報）とからなる。
【００５１】
後者のＣｅｌｌ情報は、Ｃ＿Ｖ＿Ｓ＿ＰＴＭ、Ｃ＿Ｖ＿Ｅ＿ＰＴＭと呼ばれる時間情報の組みを用いてＶＯＢの全区間、又は、ＶＯＢの中の部分区間を指定する情報である。このＣｅｌｌ情報を用いれば、ＶＯＢに対応する放送区間のうち、任意の部分区間を指定することができる。即ち、ＶＯＢＩにおけるＴＭＡＰＩには、ＶＯＢを構成する複数のＶＯＢＵの先頭アドレスが、再生開始時刻と対応づけられているので、Ｃｅｌｌ情報に含まれるＣ＿Ｖ＿Ｓ＿ＰＴＭ、Ｃ＿Ｖ＿Ｅ＿ＰＴＭを用いてＴＭＡＰＩを検索すれば、ＶＯＢに含まれる何れかのＶＯＢＵを特定することができる。また、ＶＯＢＵは、ＧＯＰに対応する単位であり、独立した再生が可能なので、ＴＭＡＰＩを用いて検索されたＶＯＢＵを用いることにより、ＶＯＢの部分区間が再生されることとなる。ＣＩ（Ｃｅｌｌ  Ｉｎｆｏｒｍａｔｉｏｎ）は、参照符号７０３で示されているように、Ｃｅｌｌについての一般情報『Ｍ＿Ｃ＿ＧＩ』（動画Ｃｅｌｌ一般情報）と、各々のＣｅｌｌのエントリポイント情報『Ｍ＿Ｃ＿ＥＰＩ＃１，＃２，＃３・・・・＃ｎ』（動画Ｃｅｌｌエントリポイント情報）とからなる。Ｍ＿Ｃ＿ＧＩは、参照符号７０４で示されているように、そのＣｅｌｌに対応するＶＯＢのＶＯＢＩへのサーチポインタ示す『Ｍ＿ＶＯＢＩ＿ＳＲＰＮ』（動画ＶＯＢ情報サーチポインタ番号）、Ｃｅｌｌのエントリポイント情報の数を示す『Ｃ＿ＥＰＩ＿Ｎｓ』（Ｃｅｌｌエントリポイント情報数）、Ｃｅｌｌの再生開始時刻を示す『Ｃ＿Ｖ＿Ｓ＿ＰＴＭ』（Ｃｅｌｌビデオ開始時刻）、Ｃｅｌｌの再生終了時刻を示す『Ｃ＿Ｖ＿Ｅ＿ＰＴＭ』（Ｃｅｌｌビデオ終了時刻）とからなる。エントリポイント情報（Ｍ＿Ｃ＿ＥＰ＃１，＃２，＃３・・・・＃ｋ）とは、参照符号７０５で示されているように、ＶＯＢにおいてＣｅｌｌ情報により指定されている区間の何れかの内部位置を指定するポインタ情報であり、エントリポイントのタイプを示す『ＥＰ＿ＴＹ』（エントリポイントタイプ）、ＶＯＢ先頭からの相対時刻により、ＶＯＢの内部位置を示す時刻情報『ＥＰ＿ＰＴＭ』（エントリポイント時刻）、エントリポイントに関するテキスト情報『ＰＲＭ＿ＴＸＴＩ』（プライマリテキスト）からなる。エントリポイントのタイプはＴＹＰＥ  ＡとＴＹＰＥ  Ｂの２種類があり、エントリポイントのＰＲＭ＿ＴＸＴＩは、ＥＰ＿ＴＹの指し示すタイプがＴＹＰＥＢの場合のみ存在する。
【００５２】
エントリポイントの設定数は規格で上限が定められており、オリジナルＰＧ内で最大９９９個、ユーザ定義ＰＧで合計最大９９９個となっている。また、テキスト情報を持つＴＹＰＥ  Ｂのエントリポイントは９９個まで設定できる。
【００５３】
前者のＰＧＩは、放送番組に対応する情報であり、参照符号７０２で示されているように、ＰＧのタイプ『ＰＧ＿ＴＹ』（ＰＧタイプ）と、そのＰＧに含まれるＣｅｌｌ情報の数『Ｃ＿Ｎｓ』（Ｃｅｌｌ数）と、ＰＧに対応するテキスト情報を記述するために確保されている『ＰＲＭ＿ＴＸＴＩ』（プライマリテキスト領域）と、ＰＧに対応するテキスト情報の記述に、拡張領域が求められる場合、その拡張領域へのポインタを示す『ＩＴ＿ＴＸＴ＿ＳＲＰＮ』（アイテムテキストサーチポインタ番号）とからなる。なお、ＵＤ＿ＰＧＣＩの場合にはＰＧを持つことはないため、ＰＧＩの数は０となる。
（ＶＲ＿ＭＡＮＧＲ．ＩＦＯ内のテキスト情報領域の説明）
上記で説明したＶＲ＿ＭＡＮＧＲ．ＩＦＯの構造の中で、テキスト情報を記録するための領域について図８を用いて説明する。
（１）ＰＲＭ＿ＴＸＴＩ
ＰＲＭ＿ＴＸＴＩは１２８バイトまでテキスト情報を記録できる領域であり、形式は規定されていないため、利用者が自由に情報を記録することができる。ＰＲＭ＿ＴＸＴＩは、ＰＬ＿ＳＲＰとＰＧＩとＭ＿Ｃ＿ＥＰＩとに存在し、それぞれ、ＰＬとＰＧとエントリポイントとに関する情報が記録される。
（２）ＩＴ＿ＴＸＴ
ＰＲＭ＿ＴＸＴＩ以外でＰＬやＰＧに関する情報を記録するテキスト情報領域として、ＩＴ＿ＴＸＴがある。既に説明した通り、ＩＴ＿ＴＸＴはＴＸＴＤＴ＿ＭＧ内に含まれており、このテキスト情報領域を使用するにはＩＴ＿ＴＸＴのアドレスを指し示すＩＴ＿ＴＸＴ＿ＳＲＰを設定し、ＩＴ＿ＴＸＴ＿ＳＲＰの番号をＩＴ＿ＴＸＴ＿ＳＲＰＮによって指定する。即ち、図８において、ＰＲ＿ＳＲＰ＃１からＩＴ＿ＴＸＴを参照する場合、ＰＬ＿ＳＲＰ＃１に含まれるＩＴ＿ＴＸＴ＿ＳＲＰＮを参照し、番号“１”を得る。次にその番号に従い１番目のＩＴ＿ＴＸＴ＿ＳＲＰ＃１を参照し、そこに含まれるＩＴ＿ＴＸＴ＿ＳＡから目的とする情報を記録したＩＴ＿ＴＸＴのアドレスを得ることができる。
【００５４】
ＩＴ＿ＴＸＴはそれを含むＴＸＴＤＴ＿ＭＧの領域全体の合計で３２ｋバイトまで使用可能であり、ＰＲＭ＿ＴＸＴＩだけで情報が記録できないときに使用可能であり、ＩＴ＿ＴＸＴの形式も規定されていない。
（３）ＭＮＦＩ＿ＤＴ
ＰＲＭ＿ＴＸＴＩやＩＴ＿ＴＸＴ以外にテキストを記録できる領域として、製造者情報データＭＮＦＩ＿ＤＴがある。この領域は製造者が機能の追加等の情報を記録するための領域であり、１０ｋバイトまでの情報を記録でき。その形式は規定されていない。
（ＰＧ、ＰＬ、エントリポイント再生説明）
次に、ＶＲ＿ＭＡＮＧＲ．ＩＦＯに記録された管理情報を元に、どのようにＰＧ、ＰＬ、エントリポイントを用いた再生が実施されるかについて図９を用いて説明する。
（ＰＧ再生説明）
シーンＡとシーンＢが６つの再生区間ＶＯＢ＃１〜ＶＯＢ＃６から構成されており、ＤＶＤ−ＲＡＭに記録されているとき、Ｍ＿ＡＶＦＩＴ及びＯＲＧ＿ＰＧＣＩはどのように記録されているかについて説明する。ＶＲ＿ＭＯＶＩＥ．ＶＲＯには、ＶＯＢ＃１〜ＶＯＢ＃６が収録されているので、ＯＲＧ＿ＰＧＣＩには、それらＶＯＢ＃１〜ＶＯＢ＃６に対応するＣｅｌｌ＃１〜Ｃｅｌｌ＃６が記録されていることとなる。また、これらＣｅｌｌ＃１〜Ｃｅｌｌ＃６は、２つのシーンＡ、シーンＢに対応するものなので、ＯＲＧ＿ＰＧＣＩには、ＰＧ＃１、ＰＧ＃２が記録されていることとなる。
【００５５】
シーンＡに含まれる３つの再生区間は、ＶＯＢ＃１〜ＶＯＢ＃３に対応しており、ＶＯＢ＃１〜ＶＯＢ＃３は、Ｃｅｌｌ＃１〜Ｃｅｌｌ＃３に対応しているので、ＰＧ＃１のＣ＿Ｎｓは、“３”が設定される。一方、放送番組Ｂに含まれる３つの放送区間は、ＶＯＢ＃４〜ＶＯＢ＃６に対応しており、ＶＯＢ＃４〜ＶＯＢ＃６は、Ｃｅｌｌ＃４〜Ｃｅｌｌ＃６に対応しているので、ＰＧ＃２のＣ＿Ｎｓは、“３”が設定される。
【００５６】
このようにＯＲＧ＿ＰＧＣＩが設定されれば、シーンＢの再生は以下のように行われる。例えばシーンＢの再生が示されたものとする。シーンＢは、ＰＧ＃２に対応し、またＰＧ＃１のＣ＿Ｎｓは３、ＰＧ＃２のＣ＿Ｎｓは３と設定されているので、このＯＲＧ＿ＰＧＣＩに含まれる６つのＣｅｌｌ情報のうち、Ｃｅｌｌ＃１〜Ｃｅｌｌ＃３はＰＧ＃１に含まれ、Ｃｅｌｌ＃４〜Ｃｅｌｌ＃６は、ＰＧ＃２に含まれることがわかる。そうすると、シーンＢを再生するには、Ｃｅｌｌ＃４〜Ｃｅｌｌ＃６に対応するＶＯＢを読み出せばよい。
【００５７】
Ｃｅｌｌの時刻情報Ｃ＿Ｖ＿Ｓ＿ＰＴＭ、Ｃ＿Ｖ＿Ｅ＿ＰＴＭは、ＶＯＢＩの有している時刻とアドレスを変換するためのフィルタ（ＴＭＡＰ）を使用し、エントリポイントが置かれている時刻をＶＯＢのアドレスに変換することができる。ＴＭＡＰには、時刻に対応するＶＯＢＵのサイズと再生時間に関する情報が記録されており、これらの情報を利用して対応するＶＯＢのアドレスを算出することができる。つまり、ＴＭＡＰＩを検索することによりＶＯＢ＃４〜ＶＯＢ＃６の所在を特定することができ、ＶＯＢ＃４〜ＶＯＢ＃６の再生が可能となる。
（ＰＬ再生説明）
ＰＬの場合もＰＧＣＩの構造を用いてＰＧと同様に管理される。プレイリストＡが３つの再生区間ＶＯＢ＃１〜ＶＯＢ＃３から構成されており、ＤＶＤ−ＲＡＭに記録されているとき、Ｍ＿ＡＶＦＩＴ及びＵＤ＿ＰＧＣＩＴはどのように記録されているかについて説明する。ユーザ定義ＰＧＣＩはそれぞれ１つのプレイリストに対応するものなので、プレイリストＡが１番目である場合、ＵＤ＿ＰＧＣＩＴはＵＤ＿ＰＧＣＩ＃１から成る。プレイリストＡはＶＯＢ＃１〜ＶＯＢ＃３から成るので、ＵＤ＿ＰＧＣＩ＃１には、それらＶＯＢ＃１〜ＶＯＢ＃３に対応するＣｅｌｌ＃１〜Ｃｅｌｌ＃３が記録されていることとなる。
【００５８】
このようにＵＤ＿ＰＧＣＩＴが設定されれば、プレイリストＡの再生は以下のように行われる。プレイリストＡの再生が指示されたとき、このプレイリストＡはＵＤ＿ＰＧＣＩ＃１に対応し、そこに含まれるＣｅｌｌ情報は３つなので、プレイリストＡを再生するには、Ｃｅｌｌ＃１〜Ｃｅｌｌ＃３に対応するＶＯＢを読み出せばよい。ＰＧと同様に、Ｃｅｌｌ＃１〜Ｃｅｌｌ＃３に含まれるＣ＿Ｖ＿Ｓ＿ＰＴＭ、Ｃ＿Ｖ＿Ｅ＿ＰＴＭに基づいて、ＴＭＡＰＩを検索することによりＶＯＢ＃１〜ＶＯＢ＃３の所在を特定することができ、ＶＯＢ＃１〜ＶＯＢ＃３の再生が可能となる。
（エントリポイント再生の説明）
図９に示すように、エントリポイントは個々のＶＯＢに対応するＣｅｌｌに対して設定され、そのためのエントリポイント情報Ｍ＿Ｃ＿ＥＰＩは、セル情報ＣＩに記録される。これは、エントリポイントが再生経路ごとに独立して設定できることを意味する。つまり、複数のＰＬやＰＧＣがあり、それぞれが同じ再生区間を含んでいた場合でも、同じＶＯＢ上にそれぞれ独立したエントリポイントが設定可能となる。
【００５９】
ある再生経路（ＰＧＣもしくはＰＬ）に含まれるエントリポイントからの再生が指定された場合、その再生経路情報となるＰＧＣＩからエントリポイントの含まれるＣｅｌｌ情報を読み出す。その中に含まれる該当エントリポイントに対応したエントリポイント情報Ｍ＿Ｃ＿ＥＰＩはエントリポイント時刻ＥＰ＿ＰＴＭを含み、ＰＧやＰＬ再生と同様にＴＭＡＰを用いて対応するＶＯＢ上の再生開始位置が特定され、エントリポイントからの再生が可能となる。
（ＤＶＤレコーダの説明）
続いて、上述したようなフォーマットのデータをＤＶＤ−ＲＡＭに記録するＤＶＤ−ＲＡＭレコーダについて説明する。
【００６０】
図１０は、デジタルビデオレコーディング装置の構成を示す機能ブロック図である。図１０に示すように、本実施形態のデジタルビデオレコーディング装置１００１は、ユーザインターフェース（以下、ＵＩと記載する）部１００２、システム制御部１００３、入力部１００４、エンコーダ部１００５、ストリームバッファ部１００６、デコーダ部１００７、出力部１００８、ドライブ部１００９、記録媒体であるＤＶＤ−ＲＡＭ１０１０、および、効果付与部１０１１を備えている。
【００６１】
ＵＩ部１００２は、操作キーなどの入力デバイス、表示デバイスなどの出力デバイスなどを備え、ユーザから、録画開始、再生開始などの要求を受け付け、受け付けた要求をシステム制御部１００３に送る。
【００６２】
入力部１００４は、アンテナ端子及びチューナや音声映像入力端子などの外部入力端子を介して入力されたオーディオビデオ信号などを、Ａ／Ｄコンバータにより、フレームデータに変換する。そして、変換したフレームデータをエンコーダ部１００５に送る。
【００６３】
出力部１００８は、効果付与部１０１１から送られたフレームデータを、Ｄ／Ａコンバータにより、オーディオビデオ信号に変換する。そして、変換したオーディオビデオ信号を、音声映像出力端子などの外部出力端子を介してモニタに出力する。
【００６４】
エンコーダ部１００５は、システム制御部１００３からエンコード開始命令を受けた場合には、エンコード処理を開始する。また、エンコード停止命令を受けた場合には、エンコード処理を停止する。ここで、エンコード処理とは、入力部１００４から送られるフレームデータを受け取り、受け取ったフレームデータを符号化し、ＭＰＥＧにおけるプログラム・ストリーム形式のデータ（以下、ＶＯＢと記載する）を生成する処理を指す。
【００６５】
さらに、エンコーダ部１００５は、ＶＯＢを構成するＶＯＢＵを生成する度に、生成したＶＯＢＵに関するＶＯＢＵ情報をシステム制御部１００３に送り、生成したＶＯＢＵを、ストリームバッファ部１００６に送る。そして、システム制御部１００３からエンコード停止命令を受けるまで、繰り返しエンコード処理を実行する。
【００６６】
ここで、ＶＯＢＵ情報とは、ＶＯＢＵ内ビデオフレーム再生開始時刻（ＶＯＢＵ＿Ｓ＿ＰＴＭ）、ＶＯＢＵの先頭から数えて最初のＩピクチャのサイズ（Ｒｅｆｅｒｅｎｃｅ＿Ｐｉｃｔｕｒｅ＿Ｓｉｚｅ）、ＶＯＢＵのサイズ（ＶＯＢＵ＿Ｓｉｚｅ）、再生時間（ＰＢ＿Ｔｉｍｅ）、アスペクト比、オーディオモード、オーディオストリーム数などを含む情報を指す。
【００６７】
デコーダ部１００７は、システム制御部１００３からデコード開始命令を受けた場合には、デコード処理を開始する。また、システム制御部１００３からデコード停止命令を受けた場合には、デコード処理を停止する。ここで、デコード処理とは、ストリームバッファ部１００６から送られたＶＯＢＵを受け取り、受け取ったＶＯＢＵからフレームデータを復元する処理を指す。
【００６８】
さらに、デコーダ部１００７は、復元したフレームデータを効果付与部１０１１に送る。そして、システム制御部１００３からデコード停止命令を受けるまで、繰り返しデコード処理を実行する。
【００６９】
効果付与部１０１１は、システム制御部１００３から要求があったときには、復元されたフレームデータに対して画像処理や音響処理を行い、出力部１００８へとデータを送る。
【００７０】
ストリームバッファ部１００６は、記録媒体、バッファ、及び読み込み書き込み制御プログラムなどから構成される。そして、システム制御部１００３からの命令に応じて、管理情報、及びＶＯＢＵの読み込み書き込み処理を実行する。具体的には、システム制御部１００３から、ＶＯＢＵ書き込み命令を受けた場合には、後述のＶＯＢＵ書き込み処理を実行する。ＶＯＢＵ読み込み命令を受けた場合には、後述のＶＯＢＵ読み込み処理を実行する。管理情報書き込み命令を受けた場合には、後述の管理情報書き込み処理を実行する。管理情報読み込み命令を受けた場合には、後述の管理情報読み込み処理を実行する。
【００７１】
ここで、ＶＯＢＵ書き込み処理とは、エンコーダ部１００５から送られたＶＯＢＵを受け取り、受け取ったＶＯＢＵをバッファに格納して、バッファに格納しているＶＯＢＵを記録媒体に書き込み、バッファをクリアする処理を指す。なお、ＶＯＢＵを記録媒体に書き込む際に、書き込みエラーになる場合には、書き込みエラーをシステム制御部１００３に通知する。
【００７２】
ここで、ＶＯＢＵ読み込み処理とは、記録媒体に書き込まれたＶＯＢＵを読み込み、読み込んだＶＯＢＵをバッファに格納する。そして、バッファに格納されたＶＯＢＵをデコーダ部１００７に送り、バッファをクリアする処理を指す。
【００７３】
ここで、管理情報書き込み処理とは、システム制御部１００３から送られた管理情報を受け取り、受け取った管理情報を管理情報ファイルとして記録媒体に格納する処理を指す。
【００７４】
ここで、管理情報読み込み処理とは、管理情報ファイルに格納されている管理情報を読み込み、読み込んだ管理情報をシステム制御部１００３へ送る処理を指す。なお、管理情報ファイルが記録媒体に格納されていない場合には、読み込みエラーをシステム制御部１００３に通知する。
【００７５】
ここで、管理情報とは、録画中に受け取ったＶＯＢＵ情報から算出される再生制御情報を含み、録画終了とともに管理情報ファイルとして記録媒体に格納される。そして、再生時には、システム制御部１００３において参照され、ＶＲ＿ＭＡＮＧＲ．ＩＦＯファイル内に格納されているＶＯＢＵ（またはＶＯＢ）の再生を制御する情報を指す。
（本装置の基本動作）
以下、本装置の基本動作について説明する。
【００７６】
記録再生動作のそれぞれについて、図１０を用いて説明する。
（１）本装置の記録動作
ＵＩ部１００２より番組の記録動作が指示されると、システム制御部１００３はビデオストリーム情報の記録動作を開始する。入力された情報は、入力部１００４においてＡ／Ｄコンバータによりアナログ信号からデジタル信号に変換される。エンコーダ部１００５は、入力部１００４から送られたデジタル情報を圧縮処理して、ストリームバッファ部１００６に出力する。ストリームバッファ部１００６は、圧縮されたビデオストリーム情報などを一旦保存し、さらにドライブ部１００９に出力する。ドライブ部１００９によりＤＶＤ−ＲＡＭ１０１０への書き込みが行われる。システム制御部１００３により制御されたＤＶＤ−ＲＡＭ１０１０の指定位置に、圧縮されたビデオストリーム情報などが記録される。ＤＶＲ規格では、ビデオストリーム情報は、ＶＲ＿ＭＯＶＩＥ．ＶＲＯファイルとして記録される。ＵＩ部１００２より記録停止が指示されると、システム制御部１００３はビデオストリーム情報の記録動作を停止する。
（２）本装置の再生動作
ＵＩ部１００２より記録データの再生動作が指示されると、システム制御部１００３は再生動作を開始する。ドライブ部１００９により、ＤＶＤ−ＲＡＭ１０１０からデジタル情報（圧縮されたビデオストリーム情報）を読み出す。ストリームバッファ部１００６はドライブ部１００９から入力される再生信号ビットストリームを一時的に保存し、デコーダ部１００７に出力する。デコーダ部１００７ではデジタル情報に対してデコード処理を行い、効果付与部１０１１へ出力する。効果付与部１０１１は、システム制御部１００３により指示があれば伸張後のビデオストリームに対して映像と音声に対して処理を行い、出力部１００８へ出力する。出力部１００８は、デコードされたデジタルビデオ信号とデジタルオーディオ信号を、Ｄ／Ａ変換によりデジタル信号からアナログ信号に変換して、出力部１００８に接続されたテレビジョン受信機等に出力する。
【００７７】
以上のように構成されたＤＶＤレコーダにおいて、本発明によって特殊再生効果が付与されるための過程の一例を説明する。
（本発明の実施の概要）
本発明によって、ストリームの接続点や任意の区間に対して各種特殊再生効果が与えられるまでの処理例の概要を説明する。処理の流れを図１１に示す。図１１は図１０のブロック図に示したＤＶＤレコーダにおける構成要素のうち、本発明の効果に関する部分と、本発明において扱われるデータの流れを示したものである。処理は大きく分けて、設定処理、ディスクへの情報記録処理、再生処理の３つの処理からなる。
（１）設定処理
本発明の記録再生装置は、再生時に付加する特殊再生効果を指定するための手段を持つものとするが、その手段が限定される必要は特にない。例えばユーザによって指定される場合には、ＵＩ部１００２が編集用の画面をユーザに提示し、ユーザが所定の操作によって接続点や任意の区間に各種効果を付与するように指定できるようにすればよい。また、ユーザによる指定がなくとも、ＰＬを作成した時点で自動的にストリームの接続点に対して特定の効果が付与されるような構成とすることもできる。
（２）ディスクへの記録処理
上記設定処理によって設定された情報を元に、システム制御部１００３は、特殊再生効果を付与する情報を表すテキスト情報を生成する。テキスト情報はＡＶストリーム管理情報内のテキスト情報領域に設定され、ドライブ部１００９によってＤＶＤ−ＲＡＭ１０１０に記録される。既に説明したように、ＡＶストリーム管理情報は、ＤＶＲ規格ではＶＲ＿ＭＡＮＧＲ.ＩＦＯというファイルとして扱われ、その内部構造は図６および図７に示した様になっている。どの領域を情報の記録に用いるかについては、後の第１〜６実施形態にて説明する。
（３）再生処理
再生時には、ドライブ部１００９は、ＤＶＤ−ＲＡＭ１０１０からＡＶストリームと管理情報を読み出す。ＡＶストリームはストリームバッファ部１００６に一時的に保存され、その後デコーダ部１００７に送られる。デコーダ部１００７はＡＶストリームのデコードを行い、同時に現在デコード中のフレームの時間情報をシステム制御部１００３に送る。管理情報はシステム制御部１００３によって読み込まれ、管理情報内のテキスト情報領域に特殊再生情報があるかどうかを判別される。システム制御部１００３は、管理情報内に特殊再生情報を示すテキスト情報が含まれていた場合には、デコーダ部１００７から送られたフレームの時間情報を元にタイミングを判断し、効果を付与すべきフレームが効果付与部１０１１に送られた時に、効果付与部１０１１に対してテキスト情報に対応した効果を与えるように指示を出す。その際、システム制御部１００３は、特殊再生効果が指定されたとき、フレーム画像や音声に対してどのような処理を行うか、といった情報を予め持っているものとする。効果付与部１０１１はデコーダ部１００７から送られたデコード後のＡＶストリームに対して効果付与処理を行った後に、システム制御部１００３の指示に応じた映像音声処理を行い、出力部１００８に出力する。その結果、ユーザは所望した効果の付与された映像や音声を視聴することが出来る。
【００７８】
次に、さらに具体的な実施形態を説明する。本発明は、管理情報の使用領域とその用途によって、少なくとも以下の６つの実施形態をもつ。
（第１実施形態）
第１実施形態は、エントリポイントのプライマリテキスト情報を、特殊再生効果を指定するための情報を記録する領域として用いる技術に関する。
（１−１）第１実施形態における効果設定処理
第１実施形態におけるユーザの操作は、効果を付与するシーンチェンジ点を指定し、効果の種類を選択することであり、このときに与えられる情報は効果を付与する点とその種類の２つの情報になる。
（１−２）第１実施形態におけるディスク記録処理
特殊再生効果が設定された後に、それを管理領域に記録する処理を、図１２を用いて説明する。
【００７９】
まず、ステップＳ１２０１においてＣｅｌｌ情報（ＣＩ）を取得し、ステップＳ１２０２においてＣＩの中に含まれるエントリポイント情報Ｍ＿Ｃ＿ＥＰＩをチェックし、対象Ｃｅｌｌの先頭を指すエントリポイントがあるかどうか、つまりＥＰ＿ＰＴＭの示す情報が『００分００秒』となるエントリポイントがあるかどうかを判断する。
【００８０】
ステップＳ１２０２においてＣｅｌｌ先頭にエントリポイントがあると判断された場合、ステップＳ１２０３においてエントリポイント情報のＥＰ＿ＴＹをチェックし、エントリポイントがＴＹＰＥ  ＡであるかＴＹＰＥ  Ｂであるかを判断する。ステップＳ１２０３においてＴＹＰＥ  Ｂと判断された場合、ステップＳ１２０４において、エントリポイントのテキスト情報ＰＲＭ＿ＴＸＴＩに空き領域があるかどうかを判断する。ステップＳ１２０４においてテキスト情報ＰＲＭ＿ＴＸＴＩに空き領域が存在すると判断された場合には、ステップＳ１２０５にてＰＲＭ＿ＴＸＴＩの空き領域内に特殊再生効果の種類を記録し、処理を終了する。
【００８１】
一方、ステップＳ１２０２においてＣｅｌｌ先頭にエントリポイントが無いと判断された場合は、ステップＳ１２０６においてＴＹＰＥ  Ｂのエントリポイントを新たに追加設定できるかどうかを判断する。ステップＳ１２０６においてＴＹＰＥ  Ｂのエントリポイントを新たに設定できると判断された場合、ステップＳ１２０７においてＣｅｌｌの先頭を指すエントリポイントを設定し、ステップＳ１２０５の処理を行った後に処理を終了する。
【００８２】
また、ステップＳ１２０３においてエントリポイントのタイプがＴＹＰＥ  Ａと判断された場合、ステップＳ１２０８において新たにＴＹＰＥ  Ｂのエントリポイントを追加設定できるかどうか判断する。ステップＳ１２０８において新たにＴＹＰＥ  Ｂのエントリポイントを設定できると判断された場合、ステップＳ１２０９においてＣｅｌｌの先頭を指すエントリポイントをＴＹＰＥ  ＡからＴＹＰＥ  Ｂへ設定し直し、ステップＳ１２０５の処理を行った後に処理を終了する。
【００８３】
ステップＳ１２０４においてエントリポイントのテキスト情報に空き領域が無いと判断された場合、もしくはステップＳ１２０６またはステップＳ１２０８においてＴＹＰＥ  Ｂのエントリポイントが９９個に達し、新たに設定できないと判断された場合には、Ｃｅｌｌ先頭にエントリポイントはあるがテキスト情報を利用することが出来ないため、第１実施形態では対応できないケースとなる。これに対する改良となる手法は第２実施形態以降で説明する。
（１−３）第１実施形態における再生時の処理
次に、上記の様にディスクに記録された情報をもとに特殊再生効果を付与する処理を、図１３を用いて説明する。
【００８４】
ステップＳ１３０１においてＣｅｌｌ情報（ＣＩ）を取得し、ステップＳ１３０２においてＣＩの中に含まれる全てのエントリポイント情報Ｍ＿Ｃ＿ＥＰＩをチェックし、対象Ｃｅｌｌの先頭を指すエントリポイントがあるかどうか、つまりＥＰ＿ＰＴＭの示す情報が『００分００秒』となるエントリポイントがあるかどうかを判断する。ステップＳ１３０２においてＣｅｌｌ先頭にエントリポイントがあると判断された場合、ステップＳ１３０３においてエントリポイント情報のＥＰ＿ＴＹをチェックし、エントリポイントがＴＹＰＥ  ＡであるかＴＹＰＥＢであるかを判断する。ステップＳ１３０３においてＴＹＰＥ  Ｂと判断された場合、ステップＳ１３０４において、エントリポイントのプライマリテキスト情報ＰＲＭ＿ＴＸＴＩに特殊再生効果の種類を記録されているかどうかを判断する。ステップＳ１３０４において特殊再生効果の種類が指定されていない場合には、ステップＳ１３０５においてシステム制御部１００３が効果付与部１０１１に対して効果を与えるよう指示を出す。
【００８５】
効果付与部１０１１はシステム制御部の指示を受け、対象となるフレームの映像または音声に対して処理を行い、出力部１００８へデータを送る。
【００８６】
ステップＳ１３０２において先頭にエントリポイントが設定されていないと判断された場合、もしくはステップＳ１３０３においてエントリポイントのタイプがＴＹＰＥ  Ａと判断されたとき、もしくはステップＳ１３０４において、プライマリテキスト情報に特殊再生効果の指定がされていなかったときには第１実施形態が実施されていないことになるので、特殊再生効果の付与は行われない。
（１−４）第１実施形態における実施例
第１実施形態における実施例を図１４に示す。
【００８７】
この例ではＰＬは４つのＣｅｌｌ＃１〜４から構成されており、各Ｃｅｌｌに含まれるエントリポイント情報Ｍ＿Ｃ＿ＥＰＩは、ＥＰ＿ＰＴＭが『００分００秒』を指すため、これらのエントリポイントはそれぞれ各Ｃｅｌｌの先頭を指し示すエントリポイントである。ここで、以下の２つの効果が指定されたものとする。
【００８８】
（１）Ｃｅｌｌ＃１の終端からＣｅｌｌ＃２の先頭にかけて、映像の切替え時に映像のフェードアウト〜フェードイン効果を与える
（２）Ｃｅｌｌ＃３の終端からＣｅｌｌ＃４の先頭にかけて、映像の切替え時に音声のフェードアウト〜フェードイン効果を与える。
【００８９】
以上の効果に対して第１実施形態を適用したとき、効果設定時にはＣｅｌｌ＃１の先頭を指し示すエントリポイントは、プライマリテキスト情報として『V:FadeOut/In』という情報が記録され、また、Ｃｅｌｌ＃３の先頭を指し示すエントリポイントは、プライマリテキスト情報として『A:FadeOut/In』という情報が記録される。
（１−５）第１実施形態の効果
以上の第１実施形態によれば、再生区間を構成するＣｅｌｌ毎に、特殊再生効果を行うための情報を付加することが可能であり、再生時にはその情報を参照することによって、２つの再生区間の間の接続点に対して特殊再生効果を付与することができる。また、図１４に示す実施例においては、接続点に対する情報は接続点を挟んだ２つの再生区間のうち、前側の再生区間のＣｅｌｌのエントリポイントのプライマリテキストに情報を記録するようにしたが、接続点より後側の再生区間に対応したＣｅｌｌのエントリポイントのプライマリテキストに情報を記録しても構わない。
【００９０】
次に、本発明の第２実施形態について説明する。
（第２実施形態）
第２実施形態は、ＰＬ情報の指し示すアイテムテキスト情報を、特殊再生効果の種類およびエントリポイントを指し示す情報を記録する領域として用い、さらにエントリポイントを、特殊再生効果を付与する点として指定するための情報として用いる技術に関する。
（２−１）第２実施形態における効果設定処理
第２実施形態におけるユーザの操作も第１実施形態と同じく、効果を付与するシーンチェンジ点を指定し、効果の種類を選択することであり、このときに与えられる情報は効果を付与する点とその種類の２つの情報になる。
（２−２）第２実施形態におけるディスク記録処理
特殊再生効果が設定された後、それを管理領域に設定する処理を、図１５を用いて説明する。
【００９１】
まず、効果を付与する点に対してエントリポイントを設定する。ステップＳ１５０１において効果を付与する点にエントリポイントが設定されているかどうかを判断し、設定されていると判断された場合にはステップＳ１５０３へ処理を移し、設定されていないと判断された場合にはステップＳ１５０２にてエントリポイントを設定した後にステップＳ１５０３へと処理を移す。ステップＳ１５０３において、効果を付与する点のエントリポイントがＣｅｌｌ中で何番目のエントリポイントに相当するかを取得する。エントリポイントはそれぞれ固有の番号情報を持たないので、Ｃｅｌｌに含まれるエントリポイントを最初から順に一つずつたどってゆく必要がある。
【００９２】
次にステップＳ１５０４において、ＩＴ＿ＴＸＴ内の領域が使用可能であるか判断する。使用可能であると判断された場合はステップＳ１５０５において、前ステップＩＴ＿ＴＸＴ＿ＳＲＰＮで指定した番号の差すＩＴ＿ＴＸＴのＴＸＴに、特殊再生効果の種類と、効果を付与する点の時刻情報を記録し、ステップＳ１５０６において、ステップＳ１５０５にて指定したＩＴ＿ＴＸＴに対して、ＴＸＴに特殊再生効果の種類とステップＳ１５０３で取得したエントリポイントの番号とを記録する。
（２−３）第２実施形態における再生時の処理
次に、上記の様にディスクに記録された情報をもとに特殊再生効果を付与する処理について図１６を用いて説明する。
【００９３】
再生時には、ステップＳ１６０１において対象となるＰＬ情報に対応したアイテムテキスト情報が存在するかどうか、つまり、ＰＬ＿ＳＲＰに含まれるＩＴ＿ＴＸＴ＿ＳＲＰＮに番号が指定されているかどうかを判断する。もし存在する場合にはステップＳ１６０２においてＩＴ＿ＴＸＴ＿ＳＲＰＮの番号が参照するＩＴ＿ＴＸＴを取得する。ステップＳ１５０３において特殊再生効果の種類とエントリポイントを指し示す情報が指定されているかどうかを確認する。指定がなされていれば、ステップＳ１６０４において該当するＣｅｌｌからエントリポイント情報Ｍ＿Ｃ＿ＥＰＩを取得し、時刻情報ＥＰ＿ＰＴＭを取得する。こうして、特殊再生効果を付与する位置がエントリポイントから取得した時刻情報から得られる。
【００９４】
システム制御部１００３はこの情報を取得した後、ステップＳ１６０５において効果付与部１０１１に対して効果を与えるよう指示を出す。効果付与部１０１１はシステム制御部の指示を受け、対象となるフレームの映像または音声に対して処理を行い、出力部１００８へデータを送る。
（２−４）第２実施形態における実施例
第２実施形態における実施例を説明する。図１７に示すようなＰＬにおいて、『Ｃｅｌｌ＃１の２分００秒の点の前後の一定時間の間、映像をモノクロにして再生』という効果が指定されたものとする。
【００９５】
以上の効果に対して第２実施形態を適用したとき、特殊再生効果を与える点にエントリポイントが設定され、ＴＸＴ内のデータは、特殊再生効果の種類と、効果を付与する点に設定されたエントリポイントを指し示す情報がセットになって記録される。
【００９６】
図１７は、Ｃｅｌｌ情報に含まれるエントリポイント情報の構成を示した図である。ＰＬを構成するＣｅｌｌ＃１〜４が存在し、Ｃｅｌｌ＃１は予め、先頭を指し示すエントリポイントＥＰ＃１を持っているものとする。ここで第２実施形態を適用したとき、まず、効果を付与する点を示すエントリポイントが追加される。つまり、Ｃｅｌｌ＃１の２分００秒の点を示すためのエントリポイントがＥＰ＃２として追加され、そのエントリポイント時刻情報ＥＰ＿ＰＴＭには２分００秒が記録される。
【００９７】
図１８はアイテムテキストを参照する経路と、アイテムテキストに記録された情報を示した図である。ＰＬに対応したアイテムテキストを参照するには、ＰＬ＿ＳＲＰの中のＩＴ＿ＴＸＴ＿ＳＲＰＮで番号を参照してＩＴ＿ＴＸＴ＿ＳＲＰにアクセスし、ＩＴ＿ＴＸＴ＿ＳＲＰの中のアイテムテキスト開始アドレスＩＴ＿ＴＸＴ＿ＳＡを参照することによってアイテムテキストＩＴ＿ＴＸＴへのアクセスが可能となる。ＩＴ＿ＴＸＴの中のテキスト実体であるＴＸＴには、特殊再生効果の種類と効果を付与する点を指し示すエントリポイントの情報がセットになって記録されている。ＴＸＴ内には『Effect001:V,Monochrome,Cell#1,EP#2』と記述される。ここで"Effect001:V,Monochrome"という記述は１セット目の効果が指定区間の映像をモノクロ化して再生されることを示す。次の"Cell#1,EP#2"は効果を付与する点が、Ｃｅｌｌ＃１内に存在する２番目のエントリポイントであることを意味する。
（２−５）第２実施形態の効果
以上の第２実施形態によれば、ＰＬの情報に含まれるアイテムテキスト情報に特殊再生効果を行うための情報を設定することが可能である。従って、第１実施形態と比較して、再生区間の途中に対しても特殊再生効果を付与するような指定が出来るという点で有利である。再生時にはその設定を参照することによって、任意の点に対して特殊再生効果を掛けることができる。また、規格上の制限等によってエントリポイントがテキスト情報をもつことができない場合も、適用可能である。
【００９８】
次に、本発明の第３実施形態について説明する。
（第３実施形態）
第３実施形態はＰＬ情報の中に含まれるアイテムテキスト情報を、特殊再生効果の種類および特殊再生効果を付与する点を指定するための情報を記録する領域として用いる技術に関する。
（３−１）第３実施形態における効果設定処理
第３実施形態におけるユーザの操作も第１実施形態と同じく、効果を付与するシーンチェンジ点を指定し、効果の種類を選択することであり、このときに与えられる情報は効果を付与する点とその種類の２つの情報になる。
（３−２）第３実施形態におけるディスク記録処理
特殊再生効果が設定された後、それを管理領域に設定する処理を、図１９を用いて説明する。
【００９９】
まず、ステップＳ１９０１において、効果を付与する対象となるＰＬ情報に対してアイテムテキスト情報を持たせるように、ＲＴＲ＿ＶＭＧＩのＰＬ＿ＳＲＰＴＩを設定する。つまり、対象となるＰＬの情報を示すＰＬ＿ＳＲＰＴＩのＩＴ＿ＴＸＴ＿ＳＲＰＮに、ＩＴ＿ＴＸＴの番号を指定する。
【０１００】
ステップＳ１９０２において、ＩＴ＿ＴＸＴ内の領域が使用可能であるか判断する。使用可能であると判断された場合はステップＳ１９０３において、前ステップＩＴ＿ＴＸＴ＿ＳＲＰＮで指定した番号の差すＩＴ＿ＴＸＴのＴＸＴに、特殊再生効果の種類と、効果を付与する点の時刻情報を記録する。
【０１０１】
ステップＳ１９０２において、領域の上限などの理由でＩＴ＿ＴＸＴが使用不可の時は、第３実施形態は実施不可となる。これに対する改良となるアプローチは第６実施形態にて説明する。
（３−３）第３実施形態における再生時の処理
次に、上記の様にディスクに記録された情報をもとに特殊再生効果を付与する処理を、図２０を用いて説明する。
【０１０２】
再生時には、ステップＳ２００１において対象となるＰＬ情報に対応したアイテムテキスト情報が存在するかどうかを判断する。もし存在する場合にはステップＳ１９０２においてその情報を取得し、ステップＳ２００３において特殊再生効果の種類と効果を付与する点を示す時刻情報が指定されているかどうかを確認する。
【０１０３】
ステップＳ２００３において特殊再生効果の種類と効果を付与する点を示す時刻情報が指定されている場合、システム制御部１００３はこの情報を取得し、ステップＳ２００４において効果付与部１０１１に対して効果を与えるよう指示を出す。効果付与部１０１１はシステム制御部の指示を受け、対象となるフレームの映像または音声に対して処理を行い、出力部１００８へデータを送る。
（３−４）第３実施形態における実施例
第３実施形態における実施例を説明する。図２１に示すようなＰＬにおいて、『Ｃｅｌｌ＃１の２分００秒の点の前後の一定時間の間、映像をモノクロにして再生』という効果が指定されたものとする。
【０１０４】
以上の効果に対して第３実施形態を適用したとき、ＴＸＴ内のデータは、特殊再生効果の種類と効果を付与する点の時刻情報がセットになって記録される。図２１は第３実施形態を適用し、アイテムテキストに記録された情報を示した図である。ＴＸＴ内には『Effect001:V,Monochrome,Cell#1,2:00』と記述される。ここで" Effect001:V,Monochrome"という記述は２セット目の効果が指定区間の音声に対して残響効果をかけて再生されることを示す。次の" Cell#1,2:00"は、効果を付与する点がＣｅｌｌ＃１内の２分００秒の時刻であることを意味する。
（３−５）第３実施形態の効果
以上の第３実施形態によれば、ＰＬの情報に含まれるアイテムテキスト情報に特殊再生効果を行うための情報を設定することが可能であり、再生時にはその設定を参照することによって、任意の点に対して特殊再生効果を掛けることができる。第２実施形態がエントリポイントを区間指定のための情報として用いることに対して、第３の実施形態は、エントリポイントを使用せずに実行できるので、エントリポイントの使用可能数の規格に制限されない点で有利である。もし、効果を付与する区間の開始点や終了点を飛び込み点として用いたい場合には、第２実施形態を適用すればよく、第２、３実施形態はユーザの用途に応じて使い分けが可能である。
【０１０５】
次に、本発明の第４実施形態について説明する。
（第４実施形態）
第４実施形態はＰＬ情報の指し示すアイテムテキスト情報を、特殊再生効果の種類およびエントリポイントを指し示す情報を記録する領域として用い、さらにエントリポイントを、特殊再生効果を付与する点として指定するための情報として用いる技術に関する。
（４−１）第４実施形態における効果設定処理
第４実施形態におけるユーザの操作は、効果を付与するシーンの開始点と終了点を指定し、効果の種類を選択することであり、このときに与えられる情報は効果を付与する開始点と終了点と付与する効果の種類との３つの情報になる。
（４−２）第４実施形態におけるディスク記録処理
特殊再生効果が設定された後、それを管理領域に設定する処理を、図２２を用いて説明する。
【０１０６】
まず、効果を付与する区間の開始点と終了点に対してエントリポイントを設定する。ステップＳ２２０１において開始点と終了点にエントリポイントが設定されているかどうかを判断し、設定されていると判断された場合にはステップＳ２２０３へ処理を移し、設定されていないと判断された場合にはステップＳ２２０２にてエントリポイントを設定した後にステップＳ２２０３へと処理を移す。ステップＳ２２０３において、開始点と終了点のエントリポイントがそれぞれＣｅｌｌ中で何番目のエントリポイントに相当するかを取得する。エントリポイントはそれぞれ固有の番号情報を持たないので、Ｃｅｌｌに含まれるエントリポイントを最初から順に一つずつたどってゆく必要がある。
【０１０７】
次にステップＳ２２０４において、ＩＴ＿ＴＸＴ内の領域が使用可能であるか判断する。使用可能であると判断された場合はステップＳ２２０５において、前ステップＩＴ＿ＴＸＴ＿ＳＲＰＮで指定した番号の差すＩＴ＿ＴＸＴのＴＸＴに、特殊再生効果の種類と、開始点と終了点の時刻情報を記録し、ステップＳ２２０６において、ステップＳ２２０５にて指定したＩＴ＿ＴＸＴに対して、ＴＸＴに特殊再生効果の種類とステップＳ２２０３で取得したエントリポイントの番号とを記録する。
（４−３）第４実施形態における再生時の処理
次に、上記の様にディスクに記録された情報をもとに特殊再生効果を付与する処理について図２３を用いて説明する。
【０１０８】
再生時には、ステップＳ２３０１において対象となるＰＬ情報に対応したアイテムテキスト情報が存在するかどうか、つまり、ＰＬ＿ＳＲＰに含まれるＩＴ＿ＴＸＴ＿ＳＲＰＮに番号が指定されているかどうかを判断する。もし存在する場合にはステップＳ２３０２においてＩＴ＿ＴＸＴ＿ＳＲＰＮの番号が参照するＩＴ＿ＴＸＴを取得する。ステップＳ２３０３において特殊再生効果の種類とエントリポイントを指し示す情報が指定されているかどうかを確認する。指定がなされていれば、ステップＳ２３０４において該当するＣｅｌｌからエントリポイント情報Ｍ＿Ｃ＿ＥＰＩを取得し、時刻情報ＥＰ＿ＰＴＭを取得する。こうして、特殊再生効果を付与する区間の開始点と終了点の時間が、それぞれ開始点と終了点に対応したエントリポイントから取得した時刻情報から得られる。
【０１０９】
システム制御部１００３はこの情報を取得した後、ステップＳ２３０５において効果付与部１０１１に対して効果を与えるよう指示を出す。効果付与部１０１１はシステム制御部の指示を受け、対象となるフレームの映像または音声に対して処理を行い、出力部１００８へデータを送る。
（４−４）第４実施形態における実施例
第４実施形態における実施例を説明する。４つのＣｅｌｌから構成されるＰＬにおいて、以下の２つの特殊再生効果が指定されたものとする。
【０１１０】
（１）Ｃｅｌｌ＃１の２分００秒からＣｅｌｌ＃２の１分００秒の区間に対して映像をモノクロにして再生
（２）Ｃｅｌｌ＃４の２分００秒からＣｅｌｌ＃４の５分００秒の区間に対して音声に残響効果をかけて再生
以上の効果に対して第４実施形態を適用したとき、特殊再生効果を与える開始点と終了点にエントリポイントが設定され、ＴＸＴ内のデータは、特殊再生効果の種類と、開始点および終了点に設定されたエントリポイントを指し示す情報がセットになって記録される。
【０１１１】
図２４は、Ｃｅｌｌ情報に含まれるエントリポイント情報の構成を示した図である。ＰＬを構成するＣｅｌｌ＃１〜４は予め、それぞれＣｅｌｌ先頭を指し示すエントリポイント情報を一つずつ持っているものとする。ここで第４実施形態を適用したとき、まず、開始点と終了点を示すエントリポイントが追加される。つまり、上記（１）の開始点を示すエントリポイントがＣｅｌｌ＃１のＥＰ＃２として追加され、そのエントリポイント時刻情報ＥＰ＿ＰＴＭには２分００秒が記録される。同様に、残りのエントリポイントについても同様に設定される。
【０１１２】
図２５は、アイテムテキストを参照する経路と、アイテムテキストに記録された情報を示した図である。ＰＬに対応したアイテムテキストを参照するには、ＰＬ＿ＳＲＰの中のＩＴ＿ＴＸＴ＿ＳＲＰＮで番号を参照してＩＴ＿ＴＸＴ＿ＳＲＰにアクセスし、ＩＴ＿ＴＸＴ＿ＳＲＰの中のアイテムテキスト開始アドレスＩＴ＿ＴＸＴ＿ＳＡを参照することによってアイテムテキストＩＴ＿ＴＸＴへのアクセスが可能となる。ＩＴ＿ＴＸＴの中のテキスト実体であるＴＸＴには、特殊再生効果の種類と開始点と終了点のエントリポイントを指し示す情報がセットになって記録されており、この例では２セットの情報が記録されることになる。１セット目について説明する。ＴＸＴ内には『Effect001:V,Monochrome,Cell#1,EP#2,Cell#2,EP#2』と記述される。ここで"Effect001:V,Monochrome"という記述は１セット目の効果が指定区間の映像をモノクロ化して再生されることを示す。次の"Cell#1,EP#2"は、開始点が、Ｃｅｌｌ＃１内に存在する２番目のエントリポイントであり、次の"Cell#2,EP#2"は、終了点がＣｅｌｌ＃２内に存在する２番目のエントリポイントであることを意味する。
（４−５）第４実施形態の効果
以上の第４実施形態によれば、ＰＬの情報に含まれるアイテムテキスト情報に特殊再生効果を行うための情報を設定することが可能であり、再生時にはその設定を参照することによって、任意の区間に対して特殊再生効果を掛けることができる。
【０１１３】
また、第１〜３実施形態と比較して、第４実施形態およびこの後に説明する第５実施形態は、効果を指定する範囲を自由に選択することができる点で、有利である。
【０１１４】
次に、本発明の第５実施形態について説明する。
（第５実施形態）
第５実施形態はＰＬ情報の中に含まれるアイテムテキスト情報を、特殊再生効果の種類および特殊再生効果を付与する区間を指定するための情報を記録する領域として用いる技術に関する。
（５−１）第５実施形態における効果設定処理
第５実施形態におけるユーザの操作は、効果を付与するシーンの開始点と終了点を指定し、効果の種類を選択することであり、このときに与えられる情報は効果を付与する開始点と終了点と付与する効果の種類との３つの情報になる。
（５−２）第５実施形態におけるディスク記録処理
特殊再生効果が設定された後、それを管理領域に設定する処理を、図２６を用いて説明する。
【０１１５】
まず、ステップＳ２６０１において、効果を付与する対象となるＰＬ情報に対してアイテムテキスト情報を持たせるように、ＲＴＲ＿ＶＭＧＩのＰＬ＿ＳＲＰＴＩを設定する。つまり、対象となるＰＬの情報を示すＰＬ＿ＳＲＰＴＩのＩＴ＿ＴＸＴ＿ＳＲＰＮに、ＩＴ＿ＴＸＴの番号を指定する。
【０１１６】
ステップＳ２６０２において、ＩＴ＿ＴＸＴ内の領域が使用可能であるか判断する。使用可能であると判断された場合はステップＳ２６０３において、前ステップＩＴ＿ＴＸＴ＿ＳＲＰＮで指定した番号の差すＩＴ＿ＴＸＴのＴＸＴに、特殊再生効果の種類と、開始点と終了点の時刻情報を記録する。
（５−３）第５実施形態における再生時の処理
次に、上記の様にディスクに記録された情報をもとに特殊再生効果を付与する処理を、図２７を用いて説明する。
【０１１７】
再生時には、ステップＳ２７０１において対象となるＰＬ情報に対応したアイテムテキスト情報が存在するかどうかを判断する。もし存在する場合にはステップＳ２７０２においてその情報を取得し、ステップＳ２７０３において特殊再生効果の種類と開始点と終了点を示す時刻情報が指定されているかどうかを確認する。
【０１１８】
ステップＳ２７０３において特殊再生効果の種類と開始点と終了点を示す時刻情報が指定されている場合、システム制御部１００３はこの情報を取得し、ステップＳ２７０４において効果付与部１０１１に対して効果を与えるよう指示を出す。効果付与部１０１１はシステム制御部の指示を受け、対象となるフレームの映像または音声に対して処理を行い、出力部１００８へデータを送る。
（５−４）第５実施形態における実施例
第５実施形態における実施例を説明する。以下の２つの特殊再生効果が指定されたものとする。
【０１１９】
（１）Ｃｅｌｌ＃１の２分００秒からＣｅｌｌ＃２の１分００秒の区間に対して映像をモノクロにして再生
（２）Ｃｅｌｌ＃４の２分００秒からＣｅｌｌ＃４の５分００秒の区間に対して音声に残響効果をかけて再生
以上の効果に対して第５実施形態を適用したとき、ＴＸＴ内のデータは、特殊再生効果の種類と開始点および終了点の時刻情報がセットになって記録される。
【０１２０】
図２８は第５実施形態を適用し、アイテムテキストに記録された情報を示した図である。
【０１２１】
２セット目について説明する。ＴＸＴ内には『Effect002:A,Reverb,Cell#4,2:00,Cell#4,5:00』と記述される。ここで" Effect002:A,Reverb"という記述は２セット目の効果が指定区間の音声に対して残響効果をかけて再生されることを示す。次の" Cell#3,2:00"は、開始点がＣｅｌｌ＃４内の２分００秒の時刻であることを意味する。次の"Cell#4,5:00"は、終了点がＣｅｌｌ＃４内の５分００秒の時刻であることを意味する。
（５−５）第５実施形態の効果
以上の第５実施形態によれば、ＰＬの情報に含まれるアイテムテキスト情報に特殊再生効果を行うための情報を設定することが可能であり、再生時にはその設定を参照することによって、任意の区間に対して特殊再生効果を掛けることができる。第４実施形態がエントリポイントを区間指定のための情報として用いることに対して、第５実施形態は、エントリポイントを使用せずに実行できるので、エントリポイントの使用可能数の規格に制限されない点で有利である。もし、効果を付与する区間の開始点や終了点を飛び込み点として用いたい場合には、第４実施形態を適用すればよく、第４、５実施形態はユーザの要望に応じて使い分けが可能である。
【０１２２】
次に、本発明の第６実施形態について説明する。
（第６実施形態）
第６実施形態は、特殊再生効果を指定するための情報を記録する領域として、製造者情報の記録領域を用いる技術に関する。
（６−１）第６実施形態で得られる効果
第６実施形態では第２〜５実施形態において説明したアイテムテキスト情報ＩＴ＿ＴＸＴの代わりに、製造者情報であるＭＮＦＩ＿ＤＴに特殊再生効果を指定するための情報を記録する。例えば、ＩＴ＿ＴＸＴが使用領域の上限を超えたために使用不可能になった場合等に、ＭＮＦＩ＿ＤＴに同様の情報を記録することが可能である。
（６−２）第２〜５実施形態との相違点
ここでは、第６実施形態が第２〜５実施形態と異なる点について説明する。
【０１２３】
第２〜５実施形態において使用されるＩＴ＿ＴＸＴは、ＰＬやＰＧごとにＩＴ＿ＴＸＴを指し示すための情報があり、１つのＰＬやＰＧに対して、その使用するＩＴ＿ＴＸＴ領域が一意に決まる。これに対して、本実施形態で使用する領域ＭＮＦＩ＿ＤＴは、ＰＬやＰＧから指し示すための情報が無いため、ＰＬやＰＧとの対応関係を示す情報をディスク上に記録する必要がある。
（６−３）第６実施形態におけるディスク記録処理
ここでは、図２９を用いて第４実施形態の相違について説明するが、これから記述するＰＬまたはＰＧとＭＮＦＩ＿ＤＴとの関連を記述する方法を適用すれば、第２、３、５実施形態からの変更も可能となる。
【０１２４】
ステップＳ２２０１〜Ｓ２２０３の手順は第４実施形態と同一であるため省略し、ディスクに記録するステップＳ２９０１について説明する。
【０１２５】
ステップＳ２２０３までのステップで効果を付与する開始点と終了点にエントリポイントを設定した後、ステップＳ２９０１においてＭＮＦＩ＿ＤＴに対象となるＰＬもしくはＰＧ番号と特殊再生効果の種類とステップＳ２２０３で設定したエントリポイントを指し示す情報とを記録する。エントリポイントは番号情報を持たないので、例えばエントリポイントを含んでいるＣｅｌｌの番号と、ステップＳ２２０３にて取得したＣｅｌｌ中での順番を示す数字とを記録する。
（６−４）第６実施形態における再生時の処理
次に、上記の様にディスクに記録された情報をもとに特殊再生効果を付与する処理について図３０を用いて説明する。ステップＳ２３０３〜Ｓ２３０５の手順は第２実施形態と同一であるため省略し、ステップＳ３００１〜Ｓ３００２について説明する。
【０１２６】
再生時には、ステップＳ３００１において製造者情報ＭＮＦＩ＿ＤＴを取得し、ステップＳ３００２においてＭＮＦＩ＿ＤＴ内に現在の再生対象となっているＰＬもしくはＰＧに対して特殊再生効果が指定されているかどうかを判断する。ステップＳ３００２において現在の再生対象となるＰＬもしくはＰＧ特殊再生効果が指定されていた場合は、ステップＳ２３０３〜Ｓ２３０５と同様の処理によって特殊再生効果の付与を行い。ステップＳ３００２において特殊再生効果が指定されていなかった場合は処理を終了する。
（６−５）第６実施形態における実施例
第６実施形態における実施例を説明する。１番目のＰＬに対して以下の２つの特殊再生効果が指定されたものとする。
（１）Ｃｅｌｌ＃１の２分００秒からＣｅｌｌ＃２の１分００秒の区間に対して映像をモノクロにして再生
（２）Ｃｅｌｌ＃４の２分００秒からＣｅｌｌ＃４の５分００秒の区間に対して音声に残響効果をかけて再生
以上の効果に対して第６実施形態を適用したとき、特殊再生効果を与える開始点と終了点にエントリポイントが設定され、ＭＮＦＩ＿ＤＴ内のデータは、対象となるＰＬ番号と、特殊再生効果の種類と、開始点および終了点に設定されたエントリポイントを指し示す情報がセットになって記録される。
【０１２７】
エントリポイントの状態の説明は第２実施形態と同様であるので省略し（図２４参照）、ＭＮＦＩ＿ＤＴ内に記録される情報を、図３１を用いて説明する。ＭＮＦＩ＿ＤＴ内に、ＰＬ番号と特殊再生効果の種類と開始点と終了点のエントリポイントを指し示す情報とがセットになって記録されており、この例では２セットの情報が記録されることになる。１セット目について説明する。ＴＸＴ内には『PL#1,Effect001:V,Monochrome,Cell#1,EP#2,Cell#2,EP#2』と記述される。ここで"PL#1"は１番目のＰＬに対して効果を付与することを示す。次の"Effect001:V,Monochrome"という記述は１セット目の効果が指定区間の映像をモノクロ化して再生されることを示す。次の"Cell#1,EP#2"は、開始点が、Ｃｅｌｌ＃１内に存在する２番目のエントリポイントであり、次の"Cell#2,EP#2"は、終了点がＣｅｌｌ＃２内に存在する２番目のエントリポイントであることを示す。
（６−６）第６実施形態の効果
以上の第６実施形態によれば、ＭＮＦＩ＿ＤＴに特殊再生効果を付与するための情報を記録することにより、第２〜５実施形態においてＩＴ＿ＴＸＴが使用不可な状態においても同様の発明効果を得ることが可能となる。なお、第６実施形態の実施例において、ＭＮＦＩ＿ＤＴ内の情報とＰＬもしくはＰＧとの対応を取る手段として、ＭＮＦＩ＿ＤＴ内にＰＬもしくはＰＧを指定する情報を記録したが、同じ目的が達成されるならば他の方法を用いても構わない。例えば、ＰＬやＰＧのプライマリテキスト情報の中に、ＭＮＦＩ＿ＤＴ内部の位置を示す情報を記録し、その情報を元にＭＮＦＩ＿ＤＴにアクセスするといった形態をとっても良い。
【０１２８】
第２〜５実施形態で使用されるテキスト情報領域を含むＴＸＴＤＴ＿ＭＧでは、使用できる領域の大きさは、ＤＶＲ規格で最大３２ｋＢと定められている。第６実施形態は、この領域の代わりにＭＮＦＩ＿ＤＴを用いることにより、ＴＸＴＤＴ＿ＭＧ領域が他の用途に使用されていても、本発明の効果を得られる。
【０１２９】
以上、第１〜６実施形態で示したような処理を行うことによって、映像や音声にユーザの希望する特殊再生効果を付与して再生することが可能となる。なお、第１〜６実施形態の実施例で説明したテキスト情報に記録する書式は一例であり、テキスト情報領域に記述される内容は、機器が識別できるものであれば、どのような書式であっても構わない。また、第１〜６実施形態はＰＬを対象として説明を行ったが、Ｃｅｌｌに分割されたＰＧに対して行っても構わない。この場合、処理手順の各ステップにおけるＰＬをＰＧに置き換え、ＵＤ＿ＰＧＣＩをＯＲＧ＿ＰＧＣＩに置き換えれば、同様の処理にて実施することができる。
【０１３０】
また、本発明の実施形態として、ＤＶＲ規格を用いてＤＶＤ−ＲＡＭに映像の記録再生を行う記録再生装置について説明したが、構成はこれに限定されるものではなく、各種の変更があってもよい。たとえば、ＤＶＤ−ＲＷに対してＤＶＲ規格にて映像の記録再生を行うＤＶＤレコーダに対しても本発明は適用可能であるし、ＳＤカードなどの半導体メモリを使用した記録媒体に対してＤＶＲ規格に準じた形式で映像の記録再生を行うビデオレコーダに対しても本発明は適用可能である。
【０１３１】
また、第１〜６実施形態において、さらに効果の詳細を指定する情報が合わせて指定された場合には、その情報に従って処理を行うようにしてもよい。例えば、第１実施形態においてはエントリポイントを指定することにより効果を付与する接続点が決定され、その点を基準とした一定区間に対して効果が付与されるようにしたが、効果を付与する範囲の時間情報が合わせて指定された場合には、効果を付与する接続点の前後の時間情報によって指定された範囲の区間に効果を付与するようにしてもよく、接続点から前の５秒でフェードアウト、接続点の後の２秒でフェードインとするような指定方法も可能とされる。
【０１３２】
なお、特殊再生効果の詳細を指定する情報は、この例に限定されず、特殊再生効果の種類と組み合わせることのできる任意の情報を含む。
【０１３３】
また、実施形態では記録と再生について説明を行ったが、再生の手順のみを実行することによって、記録機能を持たない再生装置であっても、本発明の記録再生装置によって記録された記録媒体に対して特殊再生効果を付与して再生を行うことが可能である。
【０１３４】
【発明の効果】
本発明によれば、ディスク上に特殊再生効果を付与するための情報を記録することによって、別の機器で再生を行っても再設定を必要とすることなく特殊再生効果の付与が可能となる。また、たとえばＤＶＲ規格のように、特殊再生効果を与える方法が定められていない記録形式であっても、その規格で規定された記録形式を保持したまま、ストリームの接続点や任意の区間に対して各種特殊再生効果を与えるような編集方法が実現される。
【図面の簡単な説明】
【図１】ＤＶＤ−ＲＡＭのディスク記録領域とファイル構成を示す図である。
【図２】ビデオデータファイルＶＲ＿ＭＯＶＩＥ．ＶＲＯの構成を示す図である。
【図３】ＶＯＢとＭＰＥＧストリームの関係を説明する図である。
【図４】ＧＯＰの内部構成を説明する図である。
【図５】再生経路とＣｅｌｌとＶＯＢ管理情報とＶＯＢの関係を説明する図である。
【図６】管理ファイルＶＲ＿ＭＡＮＧＲ.ＩＦＯの構成を示す図である。
【図７】管理ファイルＶＲ＿ＭＡＮＧＲ.ＩＦＯ内のＰＧＣＩの構成を示す図である。
【図８】管理ファイルＶＲ＿ＭＡＮＧＲ.ＩＦＯ内のテキスト情報記録領域を示した図である。
【図９】ＶＯＢ（ＶＯＢＵ）、ＶＯＢＩ（ＴＭＡＰＩ）、ＰＧ（Ｃｅｌｌ情報（エントリポイント））の相互の関係を階層的に示した図である。
【図１０】デジタルビデオレコーディング装置の機能ブロックを説明する図である。
【図１１】本発明によって効果が付与される流れを示す図である。
【図１２】第１実施形態のデータ記録時のフローチャート図である。
【図１３】第１実施形態の再生時フローチャート図である。
【図１４】第１実施形態の実施例を示した図である。
【図１５】第２実施形態のデータ記録時のフローチャート図である。
【図１６】第２実施形態の再生時フローチャート図である。
【図１７】第２実施形態の実施例で、エントリポイント情報により効果を付与する点が指定されることを示した図である。
【図１８】第２実施形態の実施例で、アイテムテキスト情報が効果の種類とエントリポイントを指し示すことを示した図である。
【図１９】第３実施形態のデータ記録時のフローチャート図である。
【図２０】第３実施形態の再生時フローチャート図である。
【図２１】第３実施形態の実施例を示した図である。
【図２２】第４実施形態のデータ記録時のフローチャート図である。
【図２３】第４実施形態の再生時フローチャート図である。
【図２４】第４実施形態の実施例で、エントリポイント情報により効果を付与する点が指定されることを示した図である。
【図２５】第４実施形態の実施例で、アイテムテキスト情報が効果の種類とエントリポイントを指し示すことを示した図である。
【図２６】第５実施形態のデータ記録時のフローチャート図である。
【図２７】第５実施形態の再生時フローチャート図である。
【図２８】第５実施形態の実施例を示した図である。
【図２９】第６実施形態のデータ記録時のフローチャート図である。
【図３０】第６実施形態の再生時のフローチャート図である。
【図３１】第６実施形態の実施例を示した図である。
【符号の説明】
１０１  リードイン領域
１０２  データ領域
１０２ａ  ボリューム領域
１０３  リードアウト領域
１０４  Ｒｏｏｔディレクトリ
１０５  ＤＶＤ＿ＲＴＡＶディレクトリ
１０６  ＶＲ＿ＭＡＮＧＲ．ＩＦＯファイル
１０７  ＶＲ＿ＳＴＩＬＬ．ＶＲＯファイル
１０８  動画ファイルであるＶＲ＿ＭＯＶＩＥ．ＶＲＯファイル
４０１  Ｉピクチャ
４０２  Ｐピクチャ
４０３  Ｂピクチャ
６０１  ＶＲ＿ＭＡＮＧＲ.ＩＦＯの構成
６０２  ＲＴＲ＿ＶＭＧＩの構成
６０３  ＰＬ＿ＳＲＰＮの構成
６０４  Ｍ＿ＡＶＦＩＴの構成
６０５  ＵＤ＿ＰＧＣＩＴの構成
６０６  ＴＸＴＤＴ＿ＭＧの構成
６０７  ＭＩＮＩＴの構成
６０８  ＩＴ＿ＴＸＴ＿ＳＲＰの構成
７０１  ＰＧＣＩの構成
７０２  ＰＧＩの構成
７０３  ＣＩの構成
７０４  Ｍ＿Ｃ＿ＧＩの構成
７０５  Ｍ＿Ｃ＿ＥＰＩの構成
１００１  デジタルビデオレコーディング装置
１００２  ユーザインターフェース（ＵＩ）部
１００３  システム制御部
１００４  入力部
１００５  エンコーダ部
１００６  ストリームバッファ部
１００７  デコーダ部
１００８  出力部
１００９  ドライブ部
１０１０  ＤＶＤ−ＲＡＭ
１０１１  効果付与部
【図１】
2004200935.tif 000003
【図２】
2004200935.tif 000004
【図３】
2004200935.tif 000005
【図４】
2004200935.tif 000006
【図５】
2004200935.tif 000007
【図６】
2004200935.tif 000008
【図７】
2004200935.tif 000009
【図８】
2004200935.tif 000010
【図９】
2004200935.tif 000011
【図１０】
2004200935.tif 000012
【図１１】
2004200935.tif 000013
【図１２】
2004200935.tif 000014
【図１３】
2004200935.tif 000015
【図１４】
2004200935.tif 000016
【図１５】
2004200935.tif 000017
【図１６】
2004200935.tif 000018
【図１７】
2004200935.tif 000019
【図１８】
2004200935.tif 000020
【図１９】
2004200935.tif 000021
【図２０】
2004200935.tif 000022
【図２１】
2004200935.tif 000023
【図２２】
2004200935.tif 000024
【図２３】
2004200935.tif 000025
【図２４】
2004200935.tif 000026
【図２５】
2004200935.tif 000027
【図２６】
2004200935.tif 000028
【図２７】
2004200935.tif 000029
【図２８】
2004200935.tif 000030
【図２９】
2004200935.tif 000031
【図３０】
2004200935.tif 000032
【図３１】
2004200935.tif 000033